(57)【特許請求の範囲】
【請求項１】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、自装置の移動の状態を検知するセンサであり、
前記予め定められた状態は、前記センサを用いて得られる、自装置が予め定められた距離以上移動した状態である、
放射線画像撮影装置。
【請求項２】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、自装置の姿勢の変化を検知するセンサであり、
前記予め定められた状態は、前記センサを用いて得られる、自装置の姿勢が予め定められた状態から他の状態に変化した状態である、
放射線画像撮影装置。
【請求項３】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、自装置にかかる圧力を検知するセンサであり、
前記予め定められた状態は、前記センサを用いて得られる、自装置にかかる圧力が予め定められた量以上変化した状態である、
放射線画像撮影装置。
【請求項４】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、予め定められた他の装置と予め定められた設備とから成るグループから選択された少なくとも一方と自装置との距離の絶対値が所定の値より小さくなったこと、または自装置と前記少なくとも一方との間の距離が、前記検知部が前回検知を行った時点よりも短く変化したことにより、自装置と前記少なくとも一方とが近付いたことを表す信号を受信する受信部であり、
前記予め定められた状態は、前記受信部が前記信号を受信した状態である、
放射線画像撮影装置。
【請求項５】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、予め定められた他の装置と予め定められた設備とから成るグループから選択された少なくとも一方と自装置との距離の絶対値が所定の値より小さくなったこと、または自装置と前記少なくとも一方との間の距離が、前記検知部が前回検知を行った時点よりも短く変化したことにより、自装置と前記少なくとも一方とが近付いたことを検知するセンサであり、
前記予め定められた状態は、前記センサが予め定められた他の装置と予め定められた設備とから成るグループから選択された少なくとも一方に近付いたことが検知されたとの条件である、
放射線画像撮影装置。
【請求項６】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、予め定められた他の装置と予め定められた設備とから成るグループから選択された少なくとも一方と自装置との距離の絶対値が所定の値より大きくなったこと、または自装置と前記少なくとも一方との間の距離が、前記検知部が前回検知を行った時点よりも長く変化したことにより、自装置と前記少なくとも一方とが離れることを表す信号を受信する受信部であり、
前記予め定められた状態は、前記受信部が前記信号を受信した状態である、
放射線画像撮影装置。
【請求項７】
照射された放射線に応じて放射線画像を撮影する撮影部と、
前記撮影部によって撮影された複数の放射線画像の画像データを記憶する記憶部と、
自装置の予め定められた状態を検知する検知部と、
前記検知部が前記予め定められた状態が検知されたとの条件である予め定められた条件を検出した場合に、前記記憶部に記憶される画像データを前記予め定められた条件の検出前後で区切るための識別情報を前記記憶部に記憶する識別情報付与部と、
を備え、
前記検知部は、予め定められた他の装置と予め定められた設備とから成るグループから選択された少なくとも一方と自装置との距離の絶対値が所定の値より大きくなったこと、または自装置と前記少なくとも一方との間の距離が、前記検知部が前回検知を行った時点よりも長く変化したことにより、自装置と前記少なくとも一方とが離れることを検知するセンサであり、
前記予め定められた状態は、前記センサが予め定められた他の装置と予め定められた設備とから成るグループから選択された少なくとも一方から離れることが検知されたとの条件である、
放射線画像撮影装置。
【請求項８】
照射された放射線に応じて放射線画像を撮影する撮影部と、
前記撮影部によって撮影された複数の放射線画像の画像データを記憶する記憶部と、
外部から電源電力が供給され、供給された電源電力を蓄電する電源部と、
前記電源部に外部から電源電力の供給が開始されたとの条件、または外部から前記電源部への電源電力の供給が終了したとの条件である予め定められた条件を検出した場合に、前記記憶部に記憶される画像データを前記予め定められた条件の検出前後で区切るための識別情報を前記記憶部に記憶する識別情報付与部と、
を備えた放射線画像撮影装置。
【請求項９】
照射された放射線に応じて放射線画像を撮影する撮影部と、
前記撮影部によって撮影された複数の放射線画像の画像データを記憶する記憶部と、
自装置である放射線画像撮影装置と共に移動が可能であり、かつ放射線を照射する放射線照射装置と、予め定められた他の装置と予め定められた設備とから成るグループから選択された少なくとも一方との位置に応じた条件である予め定められた条件を検出した場合に、前記記憶部に記憶される画像データを前記予め定められた条件の検出前後で区切るための識別情報を前記記憶部に記憶する識別情報付与部と、
を備えた放射線画像撮影装置。
【請求項１０】
前記識別情報付与部は、前記予め定められた条件を検出した場合に、前記予め定められた条件が検出されるまでに前記記憶部に記憶され、かつそれまでにグルーピングされていない画像データを同一のグループとし、グループ毎に異なる前記識別情報を前記画像データに関連付けて前記記憶部に記憶する、
請求項１から請求項９のいずれか1項に記載の放射線画像撮影装置。
【請求項１１】
前記識別情報は、放射線画像の画像データのダミーデータである、
請求項１から請求項９のいずれか1項に記載の放射線画像撮影装置。
【請求項１２】
前記識別情報付与部は、前記画像データのダミーデータを、前記記憶部の記憶領域における同一のグループの画像データを区切る位置に記憶する、
請求項１１に記載の放射線画像撮影装置。
【請求項１３】
前記識別情報は、前記撮影部により放射線画像が撮影された被写体に関する被写体情報とは異なる情報である、
請求項１から請求項１２のいずれか１項に記載の放射線画像撮影装置。
【請求項１４】
請求項１から請求項１３のいずれか１項に記載の放射線画像撮影装置と、
前記放射線画像撮影装置の前記記憶部に記憶されている前記画像データ及び前記識別情報を前記記憶部から読み出す読出部、及び前記識別情報に基づいて、前記画像データと、前記画像データに対応する被写体に関する被写体情報と、を関連付けて画像記憶部に記憶する制御を行う制御部、を備える制御装置と、
を備えた放射線画像撮影システム。
【請求項１５】
前記制御装置は、前記識別情報により区切られた前記画像データを、前記区切り毎に区分して表示する表示部と、
前記表示部に表示された前記画像データに対応する被写体に関する被写体情報を受け付ける受付部と、
をさらに備え、
前記制御部は、前記受付部が受け付けた被写体情報を、対応する前記画像データに関連付けて前記画像記憶部に記憶する制御を行う、
請求項１４に記載の放射線画像撮影システム。
【請求項１６】
前記制御部は、前記識別情報により区切られた前記画像データに対応する前記放射線画像のオーダ情報から被写体情報を取得し、取得した被写体情報を前記画像データに関連付けて前記画像記憶部に記憶する制御を行う、
請求項１４に記載の放射線画像撮影システム。
【請求項１７】
照射された放射線に応じて放射線画像を撮影部により撮影し、
前記撮影部によって撮影された複数の放射線画像の画像データを記憶部に記憶し、
自装置の移動の状態を検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサを用いて得られる、自装置が予め定められた距離以上移動した状態である、
処理をコンピュータに実行させる識別情報付与方法。
【請求項１８】
照射された放射線に応じて放射線画像を撮影部により撮影し、
前記撮影部によって撮影された複数の放射線画像の画像データを記憶部に記憶し、
自装置の姿勢の変化を検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサを用いて得られる、自装置の姿勢が予め定められた状態から他の状態に変化した状態である、
処理をコンピュータに実行させる識別情報付与方法。
【請求項１９】
照射された放射線に応じて放射線画像を撮影部により撮影し、
前記撮影部によって撮影された複数の放射線画像の画像データを記憶部に記憶し、
自装置にかかる圧力を検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサを用いて得られる、自装置にかかる圧力が予め定められた量以上変化した状態である、
処理をコンピュータに実行させる識別情報付与方法。
【請求項２０】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より小さくなったこと、または自装置と前記少なくとも一方との間の距離が、前回検知を行った時点よりも短く変化したことにより、自装置と前記少なくとも一方とが近付いたことを表す信号を受信する受信部である、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記受信部が前記信号を受信した状態である、
処理をコンピュータに実行させる識別情報付与方法。
【請求項２１】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より小さくなったこと、または自装置と前記少なくとも一方との間の距離が、前回検知を行った時点よりも短く変化したことにより、自装置と前記少なくとも一方とが近付いたことを検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサが予め定められた他の装置と予め定められた設備とから成るグループから選択された少なくとも一方に近付いたことが検知されたとの条件である、
処理をコンピュータに実行させる識別情報付与方法。
【請求項２２】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より大きくなったこと、または自装置と前記少なくとも一方との間の距離が、前回検知を行った時点よりも長く変化したことにより、自装置と前記少なくとも一方とが離れることを表す信号を受信する受信部である、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記受信部が前記信号を受信した状態である、
処理をコンピュータに実行させる識別情報付与方法。
【請求項２３】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より大きくなったこと、または自装置と前記少なくとも一方との間の距離が、前回検知を行った時点よりも長く変化したことにより、自装置と前記少なくとも一方とが離れることを検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサが予め定められた他の装置と予め定められた設備とから成るグループから選択された少なくとも一方から離れることが検知されたとの条件である、
処理をコンピュータに実行させる識別情報付与方法。
【請求項２４】
照射された放射線に応じて放射線画像を撮影部により撮影し、
前記撮影部によって撮影された複数の放射線画像の画像データを記憶部に記憶し、
外部から電源電力が供給され、供給された電源電力を蓄電する電源部に外部から電源電力の供給が開始されたとの条件、または外部から前記電源部への電源電力の供給が終了したとの条件である予め定められた条件を検出した場合に、前記記憶部に記憶される画像データを前記予め定められた条件の検出前後で区切るための識別情報を前記記憶部に記憶する、
ことを含む処理をコンピュータに実行させる識別情報付与方法。
【請求項２５】
照射された放射線に応じて放射線画像を撮影部により撮影し、
前記撮影部によって撮影された複数の放射線画像の画像データを記憶部に記憶し、
自装置である放射線画像撮影装置と共に移動が可能であり、かつ放射線を照射する放射線照射装置と、予め定められた他の装置と予め定められた設備とから成るグループから選択された少なくとも一方との位置に応じた条件である予め定められた条件を検出した場合に、前記記憶部に記憶される画像データを前記予め定められた条件の検出前後で区切るための識別情報を前記記憶部に記憶する、
ことを含む処理をコンピュータに実行させる識別情報付与方法。
【請求項２６】
照射された放射線に応じて放射線画像を撮影部により撮影し、
前記撮影部によって撮影された複数の放射線画像の画像データを記憶部に記憶し、
自装置の移動の状態を検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサを用いて得られる、自装置が予め定められた距離以上移動した状態である、
処理をコンピュータに実行させるための識別情報付与プログラム。
【請求項２７】
照射された放射線に応じて放射線画像を撮影部により撮影し、
前記撮影部によって撮影された複数の放射線画像の画像データを記憶部に記憶し、
自装置の姿勢の変化を検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサを用いて得られる、自装置の姿勢が予め定められた状態から他の状態に変化した状態である、
処理をコンピュータに実行させるための識別情報付与プログラム。
【請求項２８】
照射された放射線に応じて放射線画像を撮影部により撮影し、
前記撮影部によって撮影された複数の放射線画像の画像データを記憶部に記憶し、
自装置にかかる圧力を検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサを用いて得られる、自装置にかかる圧力が予め定められた量以上変化した状態である、
処理をコンピュータに実行させるための識別情報付与プログラム。
【請求項２９】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より小さくなったこと、または自装置と前記少なくとも一方との間の距離が、前回検知を行った時点よりも短く変化したことにより、自装置と前記少なくとも一方とが近付いたことを表す信号を受信する受信部である、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記受信部が前記信号を受信した状態である、
処理をコンピュータに実行させるための識別情報付与プログラム。
【請求項３０】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より小さくなったこと、または自装置と前記少なくとも一方との間の距離が、前回検知を行った時点よりも短く変化したことにより、自装置と前記少なくとも一方とが近付いたことを検知するセンサである、自装置の予め定められた状態を検知する検知部が前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサが予め定められた他の装置と予め定められた設備とから成るグループから選択された少なくとも一方に近付いたことが検知されたとの条件である、
処理をコンピュータに実行させるための識別情報付与プログラム。
【請求項３１】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より大きくなったこと、または自装置と前記少なくとも一方との間の距離が、前回検知を行った時点よりも長く変化したことにより、自装置と前記少なくとも一方とが離れることを表す信号を受信する受信部である、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記受信部が前記信号を受信した状態である、
処理をコンピュータに実行させるための識別情報付与プログラム。
【請求項３２】
照射された放射線に応じて放射線画像を撮影部により撮影し、
前記撮影部によって撮影された複数の放射線画像の画像データを記憶部に記憶し、
予め定められた他の装置と予め定められた設備とから成るグループから選択された少なくとも一方と自装置との距離の絶対値が所定の値より大きくなったこと、または自装置と前記少なくとも一方との間の距離が、前回検知を行った時点よりも長く変化したことにより、自装置と前記少なくとも一方とが離れることを検知するセンサである、自装置の予め定められた状態を検知する検知部が、前記予め定められた状態が検知されたとの条件である予め定められた条件を検出した場合に、前記記憶部に記憶される画像データを前記予め定められた条件の検出前後で区切るための識別情報を前記記憶部に記憶する、
ことを含み、
前記予め定められた状態は、前記センサが予め定められた他の装置と予め定められた設備とから成るグループから選択された少なくとも一方から離れることが検知されたとの条件である、
処理をコンピュータに実行させるための識別情報付与プログラム。
【請求項３３】
照射された放射線に応じて放射線画像を撮影部により撮影し、
前記撮影部によって撮影された複数の放射線画像の画像データを記憶部に記憶し、
外部から電源電力が供給され、供給された電源電力を蓄電する電源部に外部から電源電力の供給が開始されたとの条件、または外部から前記電源部への電源電力の供給が終了したとの条件である予め定められた条件を検出した場合に、前記記憶部に記憶される画像データを前記予め定められた条件の検出前後で区切るための識別情報を前記記憶部に記憶する、
処理をコンピュータに実行させるための識別情報付与プログラム。
【請求項３４】
照射された放射線に応じて放射線画像を撮影部により撮影し、
前記撮影部によって撮影された複数の放射線画像の画像データを記憶部に記憶し、
自装置である放射線画像撮影装置と共に移動が可能であり、かつ放射線を照射する放射線照射装置と、予め定められた他の装置と予め定められた設備とから成るグループから選択された少なくとも一方との位置に応じた条件である予め定められた条件を検出した場合に、前記記憶部に記憶される画像データを前記予め定められた条件の検出前後で区切るための識別情報を前記記憶部に記憶する、
処理をコンピュータに実行させるための識別情報付与プログラム。
【発明の詳細な説明】
【技術分野】
【０００１】
本発明は、放射線画像撮影装置、放射線画像撮影システム、識別情報付与方法、及び識別情報付与プログラムに関する。
【背景技術】
【０００２】
従来、被写体を撮影する放射線画像撮影装置として、例えば医療診断を目的とした撮影を行う放射線画像撮影装置が知られている。放射線画像撮影装置は、放射線照射装置から照射され、被写体を透過した放射線を放射線検出器で検出して放射線画像を撮影する。
【０００３】
放射線検出器により検出された放射線画像の画像データを放射線画像撮影装置内に記憶する技術が知られている。例えば、特許文献１には、放射線画像の撮影に関する情報や、被写体に関する氏名や性別等の被写体情報等、種々の情報を放射線画像の画像データに関連付けてメモリに記憶する技術が記載されている。
【先行技術文献】
【特許文献】
【０００４】
【特許文献１】特開２０１０−１９０９１１号公報
【発明の概要】
【発明が解決しようとする課題】
【０００５】
放射線画像撮影装置内に記憶された放射線画像の画像データは、撮影された被写体と関連付けることが必要になる。しかしながら、上述した技術では、被写体と、放射線画像の画像データとの関連付けが困難な場合がある。特に、放射線画像の撮影後に、被写体と、撮影された放射線画像の画像データと、を放射線画像撮影装置以外の装置で関連付けようとした場合に、関連付けが困難となりやすい。
【０００６】
本発明は、被写体と、対応する放射線画像の画像データとを容易に関連付けることができる放射線画像撮影装置、放射線画像撮影システム、識別情報付与方法、及び識別情報付与プログラムを提供することを目的とする。
【課題を解決するための手段】
【０００７】
上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、自装置の移動の状態を検知するセンサであり、予め定められた状態は、センサを用いて得られる、自装置が予め定められた距離以上移動した状態である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、自装置の姿勢の変化を検知するセンサであり、予め定められた状態は、センサを用いて得られる、自装置の姿勢が予め定められた状態から他の状態に変化した状態である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、自装置にかかる圧力を検知するセンサであり、予め定められた状態は、センサを用いて得られる、自装置にかかる圧力が予め定められた量以上変化した状態である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、予め定められた他の装置と予め定められた設備とから成るグループから選択された少なくとも一方と自装置との距離の絶対値が所定の値より小さくなったこと、または自装置と少なくとも一方との間の距離が、検知部が前回検知を行った時点よりも短く変化したことにより、自装置と少なくとも一方とが近付いたことを表す信号を受信する受信部であり、予め定められた状態は、受信部が信号を受信した状態である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、予め定められた他の装置と予め定められた設備とから成るグループから選択された少なくとも一方と自装置との距離の絶対値が所定の値より小さくなったこと、または自装置と少なくとも一方との間の距離が、検知部が前回検知を行った時点よりも短く変化したことにより、自装置と少なくとも一方とが近付いたことを検知するセンサであり、予め定められた状態は、センサが予め定められた他の装置と予め定められた設備とから成るグループから選択された少なくとも一方に近付いたことが検知されたとの条件である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、予め定められた他の装置と予め定められた設備とから成るグループから選択された少なくとも一方と自装置との距離の絶対値が所定の値より大きくなったこと、または自装置と少なくとも一方との間の距離が、検知部が前回検知を行った時点よりも長く変化したことにより、自装置と少なくとも一方とが離れることを表す信号を受信する受信部であり、予め定められた状態は、受信部が信号を受信した状態である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置の予め定められた状態を検知する検知部と、検知部が予め定められた状態が検知されたとの条件である予め定められた条件を検出した場合に、記憶部に記憶される画像データを予め定められた条件の検出前後で区切るための識別情報を記憶部に記憶する識別情報付与部と、を備え、検知部は、予め定められた他の装置と予め定められた設備とから成るグループから選択された少なくとも一方と自装置との距離の絶対値が所定の値より大きくなったこと、または自装置と少なくとも一方との間の距離が、検知部が前回検知を行った時点よりも長く変化したことにより、自装置と少なくとも一方とが離れることを検知するセンサであり、予め定められた状態は、センサが予め定められた他の装置と予め定められた設備とから成るグループから選択された少なくとも一方から離れることが検知されたとの条件である。
また、上記課題を解決するため、本発明の放射線画像撮影装置は、照射された放射線に応じて放射線画像を撮影する撮影部と、撮影部によって撮影された複数の放射線画像の画像データを記憶する記憶部と、外部から電源電力が供給され、供給された電源電力を蓄電する電源部と、電源部に外部から電源電力の供給が開始されたとの条件、または外部から電源部への電源電力の供給が終了したとの条件である予め定められた条件を検出した場合に、記憶部に記憶される画像データを予め定められた条件の検出前後で区切るための識別情報を記憶部に記憶する識別情報付与部と、を備えた。
また、上記課題を解決するため、本発明の放射線画像撮影装置は、照射された放射線に応じて放射線画像を撮影する撮影部と、撮影部によって撮影された複数の放射線画像の画像データを記憶する記憶部と、自装置である放射線画像撮影装置と共に移動が可能であり、かつ放射線を照射する放射線照射装置と、予め定められた他の装置と予め定められた設備とから成るグループから選択された少なくとも一方との位置に応じた条件である予め定められた条件を検出した場合に、記憶部に記憶される画像データを予め定められた条件の検出前後で区切るための識別情報を記憶部に記憶する識別情報付与部と、を備えた。
【０００８】
また、本発明の放射線画像撮影装置の識別情報付与部は、予め定められた条件を検出した場合に、予め定められた条件が検出されるまでに記憶部に記憶され、かつそれまでにグルーピングされていない画像データを同一のグループとし、グループ毎に異なる識別情報を画像データに関連付けて記憶部に記憶してもよい。
【０００９】
また、本発明の放射線画像撮影装置の識別情報は、放射線画像の画像データのダミーデータであってもよい。
【００１０】
また、本発明の放射線画像撮影装置の識別情報付与部は、画像データのダミーデータを、記憶部の記憶領域における同一のグループの画像データを区切る位置に記憶させてもよい。
【００１１】
また、本発明の放射線画像撮影装置の識別情報は、撮影部により放射線画像が撮影された被写体に関する被写体情報とは異なる情報であってもよい。
【００２１】
また、本発明の放射線画像撮影装置は、外部から電源電力が供給され、供給された電源電力を蓄電する電源部をさらに備え、予め定められた条件は、電源部に外部から電源電力の供給が開始されたとの条件、または外部から電源部への電源電力の供給が終了したとの条件であってもよい。
【００２２】
また、本発明の放射線画像撮影装置の予め定められた条件は、自装置である放射線画像撮影装置と共に移動が可能であり、かつ放射線を照射する放射線照射装置と、予め定められた他の装置と予め定められた設備とから成るグループから選択された少なくとも一方との位置に応じた条件であってもよい。
【００２３】
本発明の放射線画像撮影システムは、本発明の放射線画像撮影装置と、放射線画像撮影装置の記憶部に記憶されている画像データ及び識別情報を記憶部から読み出す読出部、及び識別情報に基づいて、画像データと、画像データに対応する被写体に関する被写体情報と、を関連付けて画像記憶部に記憶する制御を行う制御部、を備える制御装置と、を備える。
【００２４】
また、本発明の放射線画像撮影システムは、制御装置は、識別情報により区切られた画像データを、区切り毎に区分して表示する表示部と、表示部に表示された画像データに対応する被写体に関する被写体情報を受け付ける受付部と、をさらに備え、制御部は、受付部が受け付けた被写体情報を、対応する画像データに関連付けて画像記憶部に記憶する制御を行ってもよい。
【００２５】
また、本発明の放射線画像撮影システムは、制御部は、識別情報により区切られた画像データに対応する放射線画像のオーダ情報から被写体情報を取得し、取得した被写体情報を画像データに関連付けて画像記憶部に記憶する制御を行ってもよい。
【００２６】
本発明の識別情報付与方法は、照射された放射線に応じて放射線画像を撮影部により撮影し、撮影部によって撮影された複数の放射線画像の画像データを記憶部に記憶し、自装置の移動の状態を検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサを用いて得られる、自装置が予め定められた距離以上移動した状態である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、自装置の姿勢の変化を検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサを用いて得られる、自装置の姿勢が予め定められた状態から他の状態に変化した状態である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、自装置にかかる圧力を検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサを用いて得られる、自装置にかかる圧力が予め定められた量以上変化した状態である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より小さくなったこと、または自装置と少なくとも一方との間の距離が、前回検知を行った時点よりも短く変化したことにより、自装置と少なくとも一方とが近付いたことを表す信号を受信する受信部である、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、受信部が信号を受信した状態である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より小さくなったこと、または自装置と少なくとも一方との間の距離が、前回検知を行った時点よりも短く変化したことにより、自装置と少なくとも一方とが近付いたことを検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサが予め定められた他の装置と予め定められた設備とから成るグループから選択された少なくとも一方に近付いたことが検知されたとの条件である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より大きくなったこと、または自装置と少なくとも一方との間の距離が、前回検知を行った時点よりも長く変化したことにより、自装置と少なくとも一方とが離れることを表す信号を受信する受信部である、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、受信部が信号を受信した状態である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より大きくなったこと、または自装置と少なくとも一方との間の距離が、前回検知を行った時点よりも長く変化したことにより、自装置と少なくとも一方とが離れることを検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサが予め定められた他の装置と予め定められた設備とから成るグループから選択された少なくとも一方から離れることが検知されたとの条件である、処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、外部から電源電力が供給され、供給された電源電力を蓄電する電源部に外部から電源電力の供給が開始されたとの条件、または外部から電源部への電源電力の供給が終了したとの条件である予め定められた条件を検出した場合に、記憶部に記憶される画像データを予め定められた条件の検出前後で区切るための識別情報を記憶部に記憶する、ことを含む処理をコンピュータに実行させる。
また、本発明の識別情報付与方法は、照射された放射線に応じて放射線画像を撮影部により撮影し、撮影部によって撮影された複数の放射線画像の画像データを記憶部に記憶し、自装置である放射線画像撮影装置と共に移動が可能であり、かつ放射線を照射する放射線照射装置と、予め定められた他の装置と予め定められた設備とから成るグループから選択された少なくとも一方との位置に応じた条件である予め定められた条件を検出した場合に、記憶部に記憶される画像データを予め定められた条件の検出前後で区切るための識別情報を記憶部に記憶する、ことを含む処理をコンピュータに実行させる。
【００２７】
本発明の識別情報付与プログラムは、照射された放射線に応じて放射線画像を撮影部により撮影し、撮影部によって撮影された複数の放射線画像の画像データを記憶部に記憶し、自装置の移動の状態を検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサを用いて得られる、自装置が予め定められた距離以上移動した状態である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、自装置の姿勢の変化を検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサを用いて得られる、自装置の姿勢が予め定められた状態から他の状態に変化した状態である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、自装置にかかる圧力を検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサを用いて得られる、自装置にかかる圧力が予め定められた量以上変化した状態である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より小さくなったこと、または自装置と少なくとも一方との間の距離が、前回検知を行った時点よりも短く変化したことにより、自装置と少なくとも一方とが近付いたことを表す信号を受信する受信部である、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、受信部が信号を受信した状態である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より小さくなったこと、または自装置と少なくとも一方との間の距離が、前回検知を行った時点よりも短く変化したことにより、自装置と少なくとも一方とが近付いたことを検知するセンサである、自装置の予め定められた状態を検知する検知部が予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサが予め定められた他の装置と予め定められた設備とから成るグループから選択された少なくとも一方に近付いたことが検知されたとの条件である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より大きくなったこと、または自装置と少なくとも一方との間の距離が、前回検知を行った時点よりも長く変化したことにより、自装置と少なくとも一方とが離れることを表す信号を受信する受信部である、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、受信部が信号を受信した状態である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、予め定められた他の装置と予め定められた設備とから成るグループから選択された少なくとも一方と自装置との距離の絶対値が所定の値より大きくなったこと、または自装置と少なくとも一方との間の距離が、前回検知を行った時点よりも長く変化したことにより、自装置と少なくとも一方とが離れることを検知するセンサである、自装置の予め定められた状態を検知する検知部が、予め定められた状態が検知されたとの条件である予め定められた条件を検出した場合に、記憶部に記憶される画像データを予め定められた条件の検出前後で区切るための識別情報を記憶部に記憶する、ことを含み、予め定められた状態は、センサが予め定められた他の装置と予め定められた設備とから成るグループから選択された少なくとも一方から離れることが検知されたとの条件である、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、外部から電源電力が供給され、供給された電源電力を蓄電する電源部に外部から電源電力の供給が開始されたとの条件、または外部から電源部への電源電力の供給が終了したとの条件である予め定められた条件を検出した場合に、記憶部に記憶される画像データを予め定められた条件の検出前後で区切るための識別情報を記憶部に記憶する、処理をコンピュータに実行させるためのものである。
また、本発明の識別情報付与プログラムは、照射された放射線に応じて放射線画像を撮影部により撮影し、撮影部によって撮影された複数の放射線画像の画像データを記憶部に記憶し、自装置である放射線画像撮影装置と共に移動が可能であり、かつ放射線を照射する放射線照射装置と、予め定められた他の装置と予め定められた設備とから成るグループから選択された少なくとも一方との位置に応じた条件である予め定められた条件を検出した場合に、記憶部に記憶される画像データを予め定められた条件の検出前後で区切るための識別情報を記憶部に記憶する、処理をコンピュータに実行させるためのものである。
【発明の効果】
【００２８】
本発明によれば、被写体と、対応する放射線画像の画像データとを容易に関連付けることができる、という効果が得られる。
【図面の簡単な説明】
【００２９】
【図１】第１の実施の形態の放射線画像撮影システムの一例を示す概略構成図である。
【図２】第１の実施の形態の放射線画像撮影装置、携帯情報端末装置、及びコンソールの概略構成の一例を示すブロック図である。
【図３】第１の実施の形態の放射線画像撮影装置の撮影制御部によって実行される撮影処理の流れの一例を表したフローチャートである。
【図４】第１の実施の形態の放射線画像撮影装置の撮影制御部によって実行される識別情報付与処理の流れの一例を表したフローチャートである。
【図５】第１の実施の形態の放射線画像撮影装置の記憶部に記憶される画像データ及びダミーデータの具体例を示す模式図である。
【図６】第１の実施の形態のコンソールの制御部によって実行される関連付け処理の流れの一例を表したフローチャートである。
【図７】図５に示した具体例において、画像データと被写体情報とが関連付けられて記憶部に記憶された状態の具体例を示す模式図である。
【図８】第２の実施の形態の放射線画像撮影装置の撮影制御部によって実行される識別情報付与処理の流れの一例を表したフローチャートである。
【図９】記憶部に記憶される画像データ及び識別情報の具体例を示す模式図である。
【図１０】第３の実施の形態の放射線画像撮影装置、携帯情報端末装置、及びコンソールの概略構成の一例を示すブロック図である。
【図１１】実施例３−１の放射線画像撮影装置の撮影制御部によって実行される撮影処理の流れの一例を表したフローチャートである。
【図１２】実施例３−２の放射線画像撮影装置の撮影制御部によって実行される撮影処理の流れの一例を表したフローチャートである。
【図１３】実施例３−３の放射線画像撮影装置の撮影制御部によって実行される撮影処理の流れの一例を表したフローチャートである。
【図１４】第４の実施の形態の放射線画像撮影装置、携帯情報端末装置、コンソール、及び収納装置の概略構成の一例を示すブロック図である。
【図１５】第４の実施の形態の放射線画像撮影装置の撮影制御部によって実行される撮影処理の流れの一例を表したフローチャートである。
【図１６】第５の実施の形態の放射線画像撮影装置、携帯情報端末装置、コンソール、及び収納装置の概略構成の一例を示すブロック図である。
【図１７】第５の実施の形態の放射線画像撮影装置の撮影制御部によって実行される撮影処理の流れの一例を表したフローチャートである。
【図１８】第６の実施の形態の放射線照射装置、放射線画像撮影装置、携帯情報端末装置、及びコンソールの概略構成の一例を示すブロック図である。
【図１９】第６の実施の形態の放射線画像撮影装置の撮影制御部によって実行される撮影処理の流れの一例を表したフローチャートである。
【図２０】第６の実施の形態の放射線照射装置の照射制御部によって実行されるＩＤ読取処理の流れの一例を表したフローチャートである。
【図２１】第６の実施の形態の変形例の放射線画像撮影装置、携帯情報端末装置、及びコンソールの概略構成の一例を示すブロック図である。
【図２２】第７の実施の形態の放射線照射装置、放射線画像撮影装置、携帯情報端末装置、及びコンソールの概略構成の一例を示すブロック図である。
【図２３】第７の実施の形態の放射線画像撮影装置の筐体及び報知部の一例を示した構成図である。
【図２４】第６の実施の形態の放射線画像撮影装置の撮影制御部によって実行される撮影処理の流れの一例を表したフローチャートである。
【図２５】第７の実施の形態の回診車である放射線照射装置の一例を示した構成図である。
【図２６】コンソールが自動的に関連づけを行う場合のコンソールで実行される関連付け処理の流れの一例を表したフローチャートである。
【図２７】第１の実施の形態及び第３の実施の形態を組み合わせた場合の放射線画像撮影装置、携帯情報端末装置、コンソール、及び収納装置の概略構成の一例を示すブロック図である。
【発明を実施するための形態】
【００３０】
以下、各図面を参照して本発明に係る実施の形態を説明する。なお、図面において同一機能を有する部分には同一符号が付されており、重複する説明は適宜、省略する。
【００３１】
［第１の実施の形態］
本実施の形態では、放射線画像撮影装置による放射線画像の撮影後に、放射線技師等のユーザにより放射線画像撮影装置に設けられた操作ボタンが操作された場合に、識別情報を付与する場合について説明する。
【００３２】
まず、本実施の形態の放射線画像撮影システムの概略構成について説明する。図１は、本実施の形態の放射線画像撮影システムの一例を示す概略構成図である。
【００３３】
放射線画像撮影システム１０は、放射線照射装置１２、放射線画像撮影装置１４、携帯情報端末装置１６、及びコンソール１８を備えている。
【００３４】
放射線照射装置１２は、放射線源１３を備えている。放射線照射装置１２は、放射線源１３から放射線Ｒ（例えばエックス線（Ｘ線）等）を被写体Ｗに照射する機能を有している。放射線照射装置１２の具体例としては、回診車等が挙げられる。放射線照射装置１２に対して放射線Ｒの照射を実行する指示方法は、特に限定されない。指示方法は、例えば、放射線照射装置１２に照射ボタン等を備えておき、ユーザが照射ボタン等を操作することにより照射の実行指示を行うようにしてもよい。また、指示方法は、例えば、携帯情報端末装置１６やコンソール１８等の外部装置からユーザが照射の実行指示を行うようにしてもよい。
【００３５】
放射線画像撮影装置１４は、放射線照射装置１２から照射され、被写体Ｗを透過した放射線Ｒを検出する本発明の撮影部の一例である放射線検出器２０を備えている（詳細後述）。放射線画像撮影装置１４は、放射線検出器２０を用いて、被写体Ｗの放射線画像を撮影する機能を有している。本実施の形態では、放射線画像撮影装置１４として電子カセッテを用いている。
【００３６】
また、放射線画像撮影装置１４は、予め定められた条件を検出した場合に、識別情報を生成して記憶する機能を有する。本実施の形態において「識別情報」とは、予め定められた条件を検出した場合に、記憶部２４に記憶される画像データを予め定められた条件の検出前後で区切るための情報であり、被写体Ｗに関する被写体情報は含まないものである。
【００３７】
本実施の形態の携帯情報端末装置１６は、コンソール１８の機能の一部（例えば、放射線画像撮影装置１４による放射線画像の撮影を制御する機能）を有している。本実施の形態の携帯情報端末装置１６は、内蔵バッテリにより駆動可能なものであって、いわゆるＰＤＡ（Personal Digital Assistants）であり、具体例としては、タブレット端末装置や、スマートフォン等が挙げられる。
【００３８】
コンソール１８は、例えば、ＲＩＳ（Radiology Information System）等の外部のシステムから入力された指示情報（撮影メニュー情報）に基づいて、放射線画像撮影システム１０の全体を制御する機能や、放射線画像撮影装置１４による放射線画像の撮影を制御する機能を有している。そのため、コンソール１８は、上記外部のシステムから、撮影メニュー情報を含むオーダ情報を受け付ける。
【００３９】
なお、本実施の形態の放射線画像撮影システム１０では、病棟、病室、及び手術室等の予め定められた撮影場所で放射線画像の撮影を行う場合は、放射線照射装置１２、放射線画像撮影装置１４、及び携帯情報端末装置１６を対象とする撮影場所に配置して、放射線画像の撮影を行う。一方、この場合、コンソール１８は、放射線照射装置１２、放射線画像撮影装置１４、及び携帯情報端末装置１６を配置した撮影場所と異なる場所（例えば、放射線科の診療室等）に配置した状態で撮影を行う。
【００４０】
次に、放射線画像撮影装置１４、携帯情報端末装置１６、及びコンソール１８の各機能について詳細に説明する。図２は、放射線画像撮影システム１０の放射線画像撮影装置１４、携帯情報端末装置１６、及びコンソール１８の概略構成の一例を示すブロック図である。
【００４１】
本実施の形態の放射線画像撮影装置１４は、放射線検出器２０、撮影制御部２２、操作検出部２３、記憶部２４、操作ボタン２５、Ｉ／Ｏ（Input Output）部２６、及びＩ／Ｆ（Interface)部２８を備えている。放射線検出器２０、撮影制御部２２、操作検出部２３、記憶部２４、及びＩ／Ｏ部２６は、システムバスやコントロールバス等のバス２９を介して相互に各種情報の授受が可能に接続されている。
【００４２】
本実施の形態の放射線画像撮影装置１４は、被写体Ｗを透過した放射線Ｒに応じた放射線画像を撮影する機能を有していれば、特に限定されない。例えば、放射線照射装置１２と非同期に、放射線Ｒの照射開始を自装置で検出して、放射線画像の撮影を行うものであってもよい。
【００４３】
放射線検出器２０は、撮影制御部２２の制御により、被写体Ｗを透過した放射線Ｒを検出する機能を有している。本実施の形態の放射線検出器２０は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。
【００４４】
撮影制御部２２は、放射線画像撮影装置１４の動作を制御する機能を有している。また、撮影制御部２２は、本発明の識別情報付与部の一例であり、識別情報を生成して記憶部２４に記憶する機能を有している。
【００４５】
撮影制御部２２は、ＣＰＵ（Central Processing Unit）、ＲＯＭ（Read Only Memory）、ＲＡＭ（Random Access Memory）、及びＨＤＤ（Hard disk drive）を備えている。ＣＰＵは、放射線画像撮影装置１４の全体の動作を制御する機能を有している。ＲＯＭには、ＣＰＵで実行される本発明の識別情報付与プログラムの一例である撮影処理プログラムを含む各種の処理プログラム等が予め記憶されている。ＲＡＭは、各種データを一時的に記憶する機能を有している。ＨＤＤは、各種データを記憶して保持する機能を有している。なお、ＨＤＤは、ＳＳＤ（Solid State Drive）であってもよく、また、記憶部２４と兼用してもよい。
【００４６】
本発明の操作部の一例である操作ボタン２５は、放射線画像撮影装置１４の筐体（図２５、筐体１５参照）における、放射線画像の撮影の邪魔にならない位置に設けられている。本実施の形態の放射線画像撮影装置１４では、同一の被写体Ｗに対する一連の放射線画像の撮影の後に、ユーザにより操作ボタン２５が操作される。操作検出部２３は、操作ボタン２５が操作されたことを検出する機能を有している。
【００４７】
本発明の記憶部の一例である記憶部２４には、放射線画像の画像データや識別情報等が記憶される。記憶部２４の具体例としては、ＳＳＤ等が挙げられる。なお、記憶部２４は、ＵＳＢ（Universal Serial Bus）メモリ、ＳＤ（Secure Digital）メモリカード（登録商標）等、放射線画像撮影装置１４に着脱可能なものであってもよい。
【００４８】
Ｉ／Ｏ部２６及びＩ／Ｆ部２８は、電波や光による無線通信等により、携帯情報端末装置１６やコンソール１８との間で各種情報の通信を行う機能を有している。
【００４９】
本実施の形態の携帯情報端末装置１６は、端末制御部３０、記憶部３２、ディスプレイドライバ３４、ディスプレイ３６、操作入力検出部３８、操作部４０、Ｉ／Ｏ部４２、及びＩ／Ｆ部４４を備えている。端末制御部３０、記憶部３２、ディスプレイドライバ３４、操作入力検出部３８、及びＩ／Ｏ部４２は、システムバスやコントロールバス等のバス４７を介して相互に各種情報の授受が可能に接続されている。
【００５０】
端末制御部３０は、携帯情報端末装置１６の全体の動作を制御する機能を有している。また、端末制御部３０は、コンソール１８等の外部装置から撮影のオーダ情報を取得する場合は、Ｉ／Ｆ部４４を介してオーダ情報を取得する機能を有している。
【００５１】
端末制御部３０は、ＣＰＵ、ＲＯＭ、及びＲＡＭを備えている。ＣＰＵは、携帯情報端末装置１６の全体の動作を制御する機能を有している。ＲＯＭには、ＣＰＵで実行される各種の処理プログラム等が予め記憶されている。ＲＡＭは、各種データを一時的に記憶する機能を有している。
【００５２】
本実施の形態のディスプレイ３６は、放射線画像撮影装置１４に関する情報等の各種情報を表示する機能を有している。ディスプレイドライバ３４は、ディスプレイ３６への各種情報の表示を制御する機能を有している。
【００５３】
操作部４０は、放射線画像の撮影に関する指示や各種情報等を、ユーザが入力するために用いられる。本実施の形態では操作部４０は、例えば、タッチパネル、タッチペン、複数のキー、及びマウス等を含んでいる。なお、操作部４０をタッチパネルとする場合は、ディスプレイ３６と一体化してもよい。操作入力検出部３８は、操作部４０に対する操作状態を検出する機能を有している。
【００５４】
Ｉ／Ｏ部４２及びＩ／Ｆ部４４は、電波や光による無線通信等により、放射線画像撮影装置１４やコンソール１８との間で各種情報の通信を行う機能を有している。
【００５５】
記憶部３２には、上述したオーダ情報等が記憶される。記憶部３２の具体例としては、ＳＳＤ等が挙げられる。
【００５６】
本発明の制御装置の一例である本実施の形態のコンソール１８は、サーバー・コンピュータである。コンソール１８は、制御部５０、記憶部５２、ディスプレイドライバ５４、ディスプレイ５６、操作入力検出部５８、操作部６０、Ｉ／Ｏ部６２、及びＩ／Ｆ部６４を備えている。制御部５０、記憶部５２、ディスプレイドライバ５４、操作入力検出部５８、及びＩ／Ｏ部６２は、システムバスやコントロールバス等のバス６７を介して相互に各種情報の授受が可能に接続されている。
【００５７】
本発明の制御装置の制御部の一例である制御部５０は、コンソール１８の全体の動作を制御する機能を有しており、ＣＰＵ、ＲＯＭ、ＲＡＭ、及びＨＤＤを備えている。ＣＰＵは、コンソール１８の全体の動作を制御する機能を有している。ＲＯＭには、ＣＰＵで実行される各種の処理プログラム等が予め記憶されている。ＲＡＭは、各種データを一時的に記憶する機能を有している。ＨＤＤは、各種データを記憶して保持する機能を有している。
【００５８】
本発明の制御装置の表示部の一例である本実施の形態のディスプレイ５６は、画像データに応じた放射線画像等の各種情報を表示する機能を有している。ディスプレイドライバ５４は、ディスプレイ５６への各種情報の表示を制御する機能を有している。操作部６０は、放射線画像の撮影に関する情報や被写体情報等を、ユーザが入力するために用いられる。本実施の形態では操作部６０は、例えば、タッチパネル、タッチペン、複数のキー、及びマウス等を含んでいる。なお、操作部６０をタッチパネルとする場合は、ディスプレイ５６と一体化してもよい。本発明の制御装置の受付部の一例である操作入力検出部５８は、操作部６０に対する操作状態を検出する機能を有している。
【００５９】
Ｉ／Ｏ部６２及びＩ／Ｆ部６４は、電波や光による無線通信等により、放射線画像撮影装置１４や携帯情報端末装置１６との間で各種情報の通信を行う機能を有している。
【００６０】
本発明の画像記憶部の一例である記憶部５２には、放射線画像の画像データと、被写体情報と、が関連付けられて記憶される。記憶部５２の具体例としては、ＨＤＤやＳＳＤ等が挙げられる。
【００６１】
次に、放射線画像を撮影する場合の、本実施の形態の放射線画像撮影システム１０の動作について説明する。なお、本実施の形態では、ユーザにより操作ボタン２５が操作されたことを検出した場合に識別情報を記憶部２４に記憶する場合について説明する。
【００６２】
図３には、本実施の形態の放射線画像撮影装置１４の撮影制御部２２によって実行される撮影処理の流れの一例を表したフローチャートが示されている。本実施の形態の放射線画像撮影装置１４では、撮影制御部２２が自身のＲＯＭに記憶されている撮影処理プログラムを実行することにより、撮影処理を実行する。
【００６３】
なお、本撮影処理は、放射線画像撮影装置１４の電源スイッチ（図示省略）が投入されると実行される。
【００６４】
図３のステップＳ１００で撮影制御部２２は、放射線検出器２０を待機状態にさせる。本実施の形態で「待機状態」とは、放射線画像撮影装置１４の電源がオンになっており、放射線画像の撮影が指示されるのを待機している状態をいう。
【００６５】
次のステップＳ１０２で撮影制御部２２は、放射線画像の撮影を開始するか否か判断する。本実施の形態の放射線画像撮影システム１０では、携帯情報端末装置１６が放射線画像撮影装置１４に対して、放射線画像の撮影を指示する。
【００６６】
携帯情報端末装置１６は、撮影に関するオーダ情報をコンソール１８から取得した場合は、取得したオーダ情報に基づいて、放射線画像撮影装置１４に対して、このオーダ情報に応じた放射線画像の撮影を指示する。また、携帯情報端末装置１６は、撮影のオーダ情報を取得していない場合は、ユーザの指示操作により設定された設定に応じて、放射線画像撮影装置１４に対して撮影を指示する。
【００６７】
ステップＳ１０２で撮影制御部２２は、携帯情報端末装置１６から放射線画像の撮影が指示された場合、放射線画像の撮影を開始すると判断する。ステップＳ１０２で撮影制御部２２が、放射線画像の撮影を開始しないと判断した場合は、ステップＳ１００に戻り待機状態になる。一方、撮影制御部２２が、放射線画像の撮影を開始すると判断した場合は、ステップＳ１０４へ移行する。ステップＳ１０４で撮影制御部２２は、放射線検出器２０を放射線Ｒの検出が即座に行える状態である撮影モードに移行させ、放射線検出器２０をレディ状態にさせる制御を行う。本実施の形態で「レディ状態」とは、放射線検出器２０が撮影可能な状態をいい、放射線Ｒの照射を待機している状態をいう。なお、レディ状態では、例えば、放射線検出器２０は放射線Ｒの照射を検出するための動作等を行っているため、待機状態に比べて電力の消費量が多くなる。
【００６８】
一方、放射線照射装置１２は、携帯情報端末装置１６から放射線画像の撮影が指示された場合、放射線Ｒの照射を行う。
【００６９】
以上の撮影制御部２２の制御により、放射線検出器２０は、放射線照射装置１２から照射され、被写体Ｗを透過した放射線Ｒを検出することにより、被写体Ｗに応じた放射線画像を撮影する。
【００７０】
放射線検出器２０により放射線画像が撮影されると、次のステップＳ１０６で撮影制御部２２は、放射線検出器２０から放射線画像の画像データを取得し、次のステップＳ１０８で、撮影制御部２２は、取得した放射線画像の画像データを記憶部２４に記憶する。
【００７１】
次のステップＳ１１０Ａで撮影制御部２２は、操作ボタン２５が操作されたか否かを判断する。操作ボタン２５が操作されたことを操作検出部２３が検出していない場合、撮影制御部２２は、操作ボタン２５が操作されていないと判断し、ステップＳ１００に戻る。例えば、同一の被写体Ｗの撮影を連続して行う場合や、動画の撮影（複数の静止画の連続的な撮影）を行う場合、ステップＳ１００に戻り、撮影された放射線画像の画像データを放射線検出器２０から取得して記憶部２４に記憶する処理を繰り返して実行する。
【００７２】
一方、操作ボタン２５が操作されたことを操作検出部２３が検出した場合、撮影制御部２２は、操作ボタン２５が操作されたと判断し、ステップＳ１１２へ移行する。
【００７３】
ステップＳ１１２で撮影制御部２２は、識別情報付与処理を実行する。図４には、本実施の形態の撮影制御部２２で実行される識別情報付与処理の流れの一例を表したフローチャートが示されている。図４に示した識別情報付与処理では、識別情報として、放射線画像の画像データのダミーデータを適用している。
【００７４】
ステップＳ１５０で撮影制御部２２は、放射線画像の画像データと同一の仕様（フォーマット及びサイズ）とされたダミーデータを生成する。本ステップで生成するダミーデータが示す画像は特に限定されるものではなく、例えば、白画像、黒画像、及び予め定められたマーク等を示す画像の画像データ等が例示される。
【００７５】
なお、ダミーデータは、予め決められた手順により生成されたデータであれば特に限定されるものではない。例えばダミーデータは、放射線画像の画像データと異なる仕様とされたデータであってもよく、例えば、放射線画像の画像データよりもサイズが小さいデータであってもよい。
【００７６】
次のステップＳ１５２で撮影制御部２２は、生成したダミーデータを記憶部２４に記憶した後、識別情報付与処理を終了する。なお、撮影制御部２２は、上記ステップＳ１０８の処理で記憶部２４に記憶した放射線画像の画像データの直後の記憶領域に、ダミーデータを記憶する。本ステップにより、識別情報としてダミーデータが付与された状態になる。
【００７７】
このようにして識別情報付与処理が終了すると、撮影処理（図３参照）のステップＳ１１４に戻り、撮影制御部２２は、本撮影処理を終了するか否かを判断する。終了しない場合は、ステップＳ１００に戻り、本撮影処理を繰り返す。例えば、異なる被写体Ｗの放射線画像の撮影を行う場合は、ステップＳ１００に戻ることにより、本撮影処理が繰り返される。この場合、ステップＳ１０６の処理により次に取得された放射線画像の画像データは、先にステップＳ１１２の識別情報付与処理により記憶部２４に記憶されたダミーデータの直後の記憶領域に記憶される。
【００７８】
図５には、記憶部２４に記憶される画像データ及びダミーデータの具体例を示す模式図が示されている。図５に示した具体例では、画像ＩＤ（identification）１〜３に対応する画像データとして、一連の放射線画像（例えば、同一の被写体Ｗの画像）の画像データが記憶され、画像ＩＤ４に対応する画像データとして、撮影制御部２２により生成されたダミーデータが記憶されている状態を示している。さらに、図５に示した具体例では、画像ＩＤ５、６に対応する画像データとして、別の一連の放射線画像（例えば、上記同一被写体Ｗとは異なる被写体Ｗの画像）の画像データが記憶され、画像ＩＤ７に対応する画像データとして、ダミーデータが記憶されている状態を示している。
【００７９】
一方、放射線画像撮影装置１４の電源スイッチがオフ状態にされた場合等は、ステップＳ１１４で撮影制御部２２により肯定判定とされて、本撮影処理を終了する。
【００８０】
なお、上記撮影処理では、撮影処理の開始後、及び識別情報付与処理後終了しない場合に、待機状態になる場合について説明したが、待機状態に限らず、少なくとも一方において例えば、スリープ状態にしてもよい。なお、「スリープ状態」とは、撮影制御部２２のＣＰＵのみが動作している状態であり、待機状態よりも消費電力が少ない状態をいう。また、放射線画像の撮影の終了後に、予め定められた撮影終了処理を行うようにしてもよい。
【００８１】
なお、上記撮影処理では、放射線画像の撮影後にダミーデータを付与していたが、ダミーデータを付与するタイミングは撮影後でなくてもよい。例えば、放射線画像の撮影前にユーザにより操作ボタン２５が操作された場合に、識別情報付与処理を行い、ダミーデータを生成して、記憶部２４に記憶させてもよい。
【００８２】
このように、本実施の形態の放射線画像撮影装置１４では、放射線画像の撮影後に操作ボタン２５が操作されると、撮影制御部２２は、識別情報としてダミーデータを生成して、操作ボタン２５が操作されるまでに撮影された放射線画像の画像データの後、またはこれから撮影される放射線画像の画像データの前に、生成したダミーデータを記憶する。
【００８３】
これにより本実施の形態の放射線画像撮影装置１４では、ダミーデータにより、記憶部２４に記憶される画像データを予め定められた条件の検出前後で区切る。これは、一連の画像データと、他の一連の画像データとの間にダミーデータが挿入されている場合、一連の画像データの最後にダミーデータが含まれている場合、及び一連の画像データの最初にダミーデータが含まれている場合の全ての場合に対応している。
【００８４】
一方、本実施の形態の放射線画像撮影システム１０では、コンソール１８の制御部５０により、放射線画像撮影装置１４で撮影された放射線画像の画像データを、被写体情報と関連付ける関連付け処理が実行される。図６には、本実施の形態の関連付け処理の流れの一例を表したフローチャートが示されている。なお、本関連付け処理は、操作部６０を介して実行指示が入力された場合に、実行される。
【００８５】
図６のステップＳ２００で制御部５０は、放射線画像撮影装置１４から放射線画像の画像データをＩ／Ｆ部６４を介して取得する。本実施の形態では、一例として、放射線画像撮影装置１４の記憶部２４に記憶されている放射線画像の画像データを全て取得し、一旦、記憶部２４に記憶されている順と同一の順で記憶部５２に記憶する。コンソール１８が放射線画像撮影装置１４から取得した放射線画像の画像データには、識別情報（本実施の形態ではダミーデータ）が含まれている。以下では、具体例として図５に示したダミーデータを含む放射線画像の画像データを取得した場合について説明する。
【００８６】
ステップＳ２０２で制御部５０は、取得した放射線画像の画像データからダミーデータを検出する。なお、本実施の形態の制御部５０では、記憶部５２に記憶されている順に、ダミーデータを１つずつ検出する。そのため、具体例では、まず、画像ＩＤ４に対応するダミーデータが検出される。
【００８７】
次のステップＳ２０４で制御部５０は、検出したダミーデータにより区切られた一連の画像データにより示される放射線画像のうち、少なくとも１つ以上の放射線画像をディスプレイ５６に表示させる。上記の具体例では、まず、画像ＩＤ４に対応するダミーデータの前の記憶領域に記憶されている、画像ＩＤ１〜３に対応する画像データのうちの少なくとも１つの画像データにより示される放射線画像をディスプレイ５６に表示させる。
【００８８】
ユーザは、ディスプレイ５６に表示された放射線画像を確認した後、表示された放射線画像の被写体Ｗに関する被写体情報を操作部６０を用いて入力する。なお、被写体Ｗに関する被写体情報は特に限定されるものではなく、例えば、被写体ＩＤや氏名等が挙げられる。なお、コンソール１８が、表示させている放射線画像に関するオーダ情報を取得している場合は、放射線画像とともに、オーダ情報を表示するようにしてもよい。
【００８９】
このように本実施の形態のコンソール１８では、ユーザにより被写体情報が入力されるため、次のステップＳ２０６で制御部５０は、被写体情報が入力されたか否かを判断する。被写体情報が入力されるまで待機状態になり、被写体情報が入力された場合は、ステップＳ２０８へ移行する。
【００９０】
ステップＳ２０８で制御部５０は、ディスプレイ５６に表示させている放射線画像の画像データに、操作部６０を介して入力された被写体情報を関連付けて記憶部５２に記憶する。図７には、図５に示した具体例において、画像データと被写体情報とが関連付けられて記憶部５２に記憶された状態の具体例を示す模式図が示されている。図７では、被写体情報として被写体Ｗ毎に異なるものとして予め付与された被写体ＩＤがユーザにより入力された場合の一例を示している。図７に示す例では、画像ＩＤ１〜３に対応する画像データには、ユーザにより入力された被写体ＩＤである「００１」が関連付けられて記憶される。また、画像ＩＤ５、６に対応する画像データには、ユーザにより入力された被写体ＩＤであある「００２」が関連付けられて記憶される。
【００９１】
次のステップＳ２１０で制御部５０は、本関連付け処理を終了するか否かを判断する。ステップＳ２００で取得した放射線画像の画像データのうち、未だ被写体情報が関連付けられていないものがある場合は否定判定となって、ステップＳ２０２に戻り、本関連付け処理を繰り返す。一方、全ての放射線画像の画像データと、被写体情報と、を関連付けた場合は肯定判定となって、本関連付け処理を終了する。
【００９２】
このように本実施の形態のコンソール１８によれば、被写体情報と放射線画像の画像データとを容易に関連付けて記憶することができる。この結果、被写体Ｗと対応する放射線画像の画像データとを容易に関連付けることができる。
［第２の実施の形態］
第１の実施の形態では、識別情報としてダミーデータを適用する場合について説明したが、本実施の形態では、識別情報として他の情報を適用する場合について説明する。本実施の形態では識別情報として、一連の画像データのグループを識別するために、画像データまたはグループ毎に異なる識別名称を適用している。識別名称としては、例えば、識別記号、識別番号、及びこれらの組合せ等により示される名称が挙げられる。
【００９３】
本実施の形態の放射線画像撮影システム１０の構成（図１、図２参照）は第１の実施の形態と同様であるため詳細な説明を省略する。
【００９４】
本実施の形態の放射線画像撮影装置１４により実行される処理では、識別情報付与処理のみが第１の実施の形態と異なるため、以下、本実施の形態の識別情報付与処理について説明する。なお、放射線画像撮影装置１４における撮影処理の識別情報付与処理を除く処理の流れ（図３参照）は、第１の実施の形態と同一である。
【００９５】
図８には、本実施の形態の放射線画像撮影装置１４の撮影制御部２２によって実行される識別情報付与処理の流れの一例を表したフローチャートが示されている。
【００９６】
図８に示すように、ステップＳ１８０で撮影制御部２２は、記憶部２４に記憶されている放射線画像の画像データのうち、識別名称が関連付けられていない画像データを特定することで、画像データをグルーピングする。
【００９７】
次のステップＳ１８２で撮影制御部２２は、新たな識別名称を生成し、ステップＳ１８０の処理により特定した画像データに関連付けて記憶部２４に記憶した後、識別情報付与処理を終了する。
【００９８】
図９には、本実施の形態の撮影処理によって記憶部２４に記憶される画像データ及び識別情報の具体例を示す模式図が示されている。図９に示した具体例では、画像ＩＤ１〜３に対応する画像データ、及び画像ＩＤ４、５に対応する画像データが各々グルーピングされ、各グループ毎に識別情報として異なる識別名称Ａ、Ｂが各々付与されて、記憶されている状態を示している。
【００９９】
なお、図９に示した具体例では、各画像データに、各グループ毎に生成された識別名称を関連付けて記憶部２４に記憶しておく場合を示しているが、識別名称の付与の方法はこれに限らない。例えば、グループ情報として各グループに含まれる画像データを示す情報を生成し、生成したグループ情報と、識別名称（識別情報）と、を関連付けて記憶部２４に記憶するようにしてもよい。
【０１００】
このように、本実施の形態の放射線画像撮影装置１４では、同一の被写体に対する一連の放射線画像の撮影を行った後に操作ボタン２５が操作されると、撮影制御部２２は、これら一連の放射線画像の画像データをグルーピングし、グループまたは画像データに対して識別情報を関連付けて記憶部２４に記憶する。
【０１０１】
本実施の形態におけるコンソール１８により実行される関連付け処理は、第１の実施の形態における関連付け処理（図６参照）と全体的な流れは同様である。ただし、本実施の形態の関連付け処理では、ステップＳ２０８において実行される画像データと、被写体情報と、を関連付ける処理に代えて、各画像データに付与されている共通の識別情報毎に異なる被写体情報を関連付ける処理を行うことにより、放射線画像の画像データと、被写体情報と、を関連付ける。
【０１０２】
このように本実施の形態のコンソール１８によれば、被写体情報と、放射線画像の画像データとを容易に関連付けて記憶することができる。この結果、被写体Ｗと対応する放射線画像の画像データとを容易に関連付けることができる。
［第３の実施の形態］
上記各実施の形態では、操作ボタン２５が操作されたことを検出した場合に識別情報を付与する場合について説明したが、本実施の形態では、その他のタイミングで識別情報を付与する場合について説明する。
【０１０３】
本実施の形態の放射線画像撮影装置１４では、自装置の状態が予め定められた状態になった場合に、画像データに識別情報を付与する。
【０１０４】
図１０には、本実施の形態の放射線画像撮影装置１４、携帯情報端末装置１６、及びコンソール１８の概略構成の一例を示すブロック図が示されている。
【０１０５】
本実施の形態の放射線画像撮影システム１０は、第１の実施の形態の放射線画像撮影装置１４が備えていた操作検出部２３及び操作ボタン２５の代わりに、検知部の一例として機能するセンサ２７を備えている点を除き、第１の実施の形態の放射線画像撮影システム１０と同様の構成である。
【０１０６】
センサ２７は、放射線画像撮影装置１４の状態を検知するセンサである。なお、センサ２７が検知する放射線画像撮影装置１４の状態とは、撮影動作に関する放射線画像撮影装置１４の状態を除く状態である。
【０１０７】
上記状態の具体例としては、放射線画像撮影装置１４の移動の状態（例えば、運搬による移動）、放射線画像撮影装置１４の姿勢の状態、及び放射線画像撮影装置１４にかかる圧力の状態等が挙げられる。
【０１０８】
以下、上記具体例を本実施の形態の実施例として詳細に説明する。
（実施例３−１）
本実施例では、放射線画像撮影装置１４の状態として、放射線画像撮影装置１４の移動の状態を適用した場合について説明する。この場合のセンサ２７としては、放射線画像撮影装置１４が移動したことを検知するセンサであれば特に限定されないが、具体例としては、速度センサ及び加速度センサ等が挙げられる。以下では、センサ２７として加速度センサを適用した場合について説明する。
【０１０９】
一般的に、放射線画像の撮影を行うためには、撮影を行う場所へ放射線画像撮影装置１４を移動させてから撮影が行われる。また、同一の被写体Ｗに対する撮影が終了すると、次の撮影を行う場所や、放射線画像撮影装置１４の収納場所に、放射線画像撮影装置１４を移動させることが行われる。そのため、本実施例の放射線画像撮影装置１４では、放射線画像撮影装置１４が移動した状態を同一の被写体Ｗに対応する一連の放射線画像の画像データの区切りを行う状態であるとして、識別情報の付与を行う。
【０１１０】
図１１には、本実施例の放射線画像撮影装置１４の撮影制御部２２によって実行される撮影処理の流れの一例を表したフローチャートが示されている。なお、図１１の図３に示す撮影処理と同様の処理を行うステップには図３と同一のステップ番号を付して、説明を省略する。
【０１１１】
図１１に示すように、本実施例の撮影処理は、上記第１の実施の形態における撮影処理のステップＳ１１０Ａに代えてステップＳ１１０Ｂが適用されている点を除き、第１の実施の形態と同様である。
【０１１２】
すなわち、ステップＳ１１０Ｂで撮影制御部２２は、放射線画像撮影装置１４が予め定められた距離以上移動したか否かを判断する。具体的には、移動の開始から終了までの時間として、加速度センサであるセンサ２７が検知した加速度が予め定められた閾値以上になってから、予め定められた閾値以下になるまでの時間を計測し、計測した時間が予め定められた時間以上である場合に、放射線画像撮影装置１４が予め定められた距離以上移動したと判断する。なお、予め定められた距離とは、放射線画像撮影装置１４に電源が投入されてから、撮影場所に配置されるまでの距離に応じた距離である。また、予め定められた距離とは、撮影を行っている間に被写体Ｗが動いたり、被写体Ｗのポジショニングを行ったりすること等により、撮影モードに移行してから放射線画像撮影装置１４が動いてしまう場合を除外するために予め定める距離である。予め定められた時間は、撮影場所や、被写体Ｗのポジショニング、及び撮影部位等を考慮して定めるとよい。
【０１１３】
撮影制御部２２は、ステップＳ１１０Ｂにおいて否定判定となった場合はステップＳ１００に戻り、肯定判定となった場合はステップＳ１１２に移行する。
【０１１４】
このように、本実施例の放射線画像撮影装置１４では、撮影制御部２２が、加速度センサであるセンサ２７の検知結果から放射線画像撮影装置１４が予め定められた距離以上移動したと判断した場合に、放射線画像の画像データに識別情報を付与して記憶部２４に記憶する。
（実施例３−２）
本実施例では、放射線画像撮影装置１４の状態として、放射線画像撮影装置１４の姿勢の状態を適用した場合について説明する。
【０１１５】
放射線画像の撮影を行う場合と、行わない場合と、で放射線画像撮影装置１４の姿勢が異なることがある。例えば、撮影を行う場合には放射線画像撮影装置１４を横置きした状態（放射線画像の検出面が上向きとなる状態）で、放射線画像撮影装置１４上に被写体Ｗをポジショニングして撮影が行われる場合がある。この場合、撮影が終了し、放射線画像撮影装置１４を移動させる場合、放射線画像撮影装置１４を縦にした状態（放射線画像の検出面が横向きとなる状態）として移動させることが多い。
【０１１６】
そのため、本実施例では、放射線画像撮影装置１４の姿勢の具体例として、放射線画像撮影装置１４が縦置き状態の姿勢及び横置き状態の姿勢について説明する。
【０１１７】
この場合のセンサ２７としては、放射線画像撮影装置１４の向き（上向き、横向き）が変化したことを検知するセンサであれば特に限定されないが、具体例としては、ジャイロセンサや加速度センサ等が挙げられる。以下では、センサ２７としてジャイロセンサを適用した場合について説明する。
【０１１８】
なお、放射線画像撮影装置１４の姿勢は、本実施例に限らない。例えば、被写体Ｗがベッドに上体を傾けた状態で寝ている場合、上向きにかわり、ベッドの角度に応じた角度を適用し、この角度と、横向きとの間の変化をセンサ２７で検知してもよい。また、放射線画像撮影装置１４の姿勢は、その他の姿勢であってもよく、その場合、姿勢の変化を検知するのに適切なセンサを用いればよい。
【０１１９】
そのため、本実施例の放射線画像撮影装置１４では、放射線画像撮影装置１４の姿勢が変化した状態を同一の被写体Ｗに対応する一連の放射線画像の画像データの区切りを行う状態であるとして、識別情報の付与を行う。
【０１２０】
図１２には、本実施例の放射線画像撮影装置１４の撮影制御部２２によって実行される撮影処理の流れの一例を表したフローチャートが示されている。なお、図１２の図３に示す撮影処理と同様の処理を行うステップには図３と同一のステップ番号を付して、説明を省略する。
【０１２１】
図１２に示すように、本実施例の撮影処理は、上記第１の実施の形態における撮影処理のステップＳ１１０Ａに代えてステップＳ１１０Ｃが適用されている点を除き、第１の実施の形態と同様である。
【０１２２】
すなわちステップＳ１１０Ｃで撮影制御部２２は、放射線画像撮影装置１４の姿勢が変化したか否かを判断する。具体的には、ジャイロセンサであるセンサ２７により放射線画像撮影装置１４の角度が予め定められた閾値以上変化したことを検知した場合に、放射線画像撮影装置１４の姿勢が変化したと判断する。
【０１２３】
撮影制御部２２は、ステップＳ１１０Ｃにおいて否定判定となった場合はステップＳ１００に戻り、肯定判定となった場合はステップＳ１１２に移行する。
【０１２４】
このように、本実施例の放射線画像撮影装置１４では、撮影制御部２２が、ジャイロセンサであるセンサ２７の検知結果から放射線画像撮影装置１４の姿勢が変化したと判断した場合に、放射線画像の画像データに識別情報を付与して記憶部２４に記憶する。
（実施例３−３）
本実施例では、放射線画像撮影装置１４の状態として、放射線画像撮影装置１４にかかる外力の状態を適用した場合について説明する。なお、本実施例では、外力の具体例として圧力の場合について説明するがこれに限らず、その他の衝撃による外力であってもよい。
【０１２５】
外力が圧力である場合のセンサ２７としては、放射線画像撮影装置１４にかかる圧力が変化したことを検知するセンサであれば特に限定されないが、具体例としては、ひずみセンサ等の各種の圧力センサが挙げられる。
【０１２６】
放射線画像の撮影を行う場合、被写体Ｗが放射線画像撮影装置１４の上にポジショニングされたり、放射線画像撮影装置１４に接触したりする等して、放射線画像撮影装置１４にかかる圧力が、撮影を行わない場合よりも大きくなる場合がある。この場合、撮影の前後で、放射線画像撮影装置１４にかかる圧力が変化する。
【０１２７】
そのため、本実施例の放射線画像撮影装置１４では、放射線画像撮影装置１４にかかる圧力が予め定められた量以上変化した状態を同一の被写体Ｗに対応する一連の放射線画像の画像データの区切りを行う状態であるとして、識別情報の付与を行う。
【０１２８】
図１３には、本実施例の放射線画像撮影装置１４の撮影制御部２２によって実行される撮影処理の流れの一例を表したフローチャートが示されている。なお、図１３の図３に示す撮影処理と同様の処理を行うステップには図３と同一のステップ番号を付して、説明を省略する。
【０１２９】
図１３に示すように、本実施例の撮影処理は、上記第１の実施の形態における撮影処理のステップＳ１１０Ａに代えてステップＳ１１０Ｄが適用されている点を除き、第１の実施の形態と同様である。
【０１３０】
すなわち、ステップＳ１１０Ｄで撮影制御部２２は、放射線画像撮影装置１４にかかる圧力が予め定められた量以上変化したか否かを判断する。具体的には、圧力センサであるセンサ２７が放射線画像撮影装置１４にかかる圧力を検知し、検知した圧力が予め定められた量以上変化したか否かを判断する。
【０１３１】
撮影制御部２２は、ステップＳ１１０Ｄにおいて否定判定となった場合はステップＳ１００に戻り、肯定判定となった場合はステップＳ１１２に移行する。
【０１３２】
このように、本実施例の放射線画像撮影装置１４では、撮影制御部２２が、圧力センサであるセンサ２７の検知結果から放射線画像撮影装置１４にかかる圧力が予め定められた量以上変化したと判断した場合に、放射線画像の画像データに識別情報を付与して記憶部２４に記憶する。
【０１３３】
なお、外力がその他の衝撃による外力である場合は、例えば、衝撃量を加速度センサ等で検出し、上記撮影処理において上記圧力量に代えて衝撃量を適用すればよい。
【０１３４】
以上のように、本実施の形態の放射線画像撮影装置１４では、放射線画像撮影装置１４が予め定められた状態になったことを検知した場合に、撮影制御部２２が、放射線画像の画像データに識別情報を付与し、画像データと関連付けて記憶部２４に記憶する。
【０１３５】
本実施の形態におけるコンソール１８により実行される関連付け処理は、上記各実施の形態における関連付け処理（図６参照）と同様であるため説明を省略する。
【０１３６】
このように本実施の形態のコンソール１８によれば、上記各実施の形態のコンソール１８と同様に、被写体情報と放射線画像の画像データとを容易に関連付けて記憶することができる。この結果、被写体Ｗと、対応する放射線画像の画像データとを容易に関連付けることができる。
【０１３７】
なお、センサ２７は、上記のものに限らず、放射線画像撮影装置１４のその他の状態を検知するものであってもよい。例えば、センサ２７は、放射線画像撮影装置１４に付与される熱を検知する温度センサであってもよい。放射線画像の撮影を行う場合、被写体Ｗが放射線画像撮影装置１４の上にポジショニングされたり、放射線画像撮影装置１４に接触したりする等して、放射線画像撮影装置１４に付与された熱が変化する場合がある。この場合、放射線画像撮影装置１４の筐体の外側の面における温度を検知し、検知した温度が予め定められた閾値以上変化した状態を同一の被写体Ｗに対応する一連の放射線画像の画像データの区切りを行う状態であるとして、識別情報の付与を行うようにしてもよい。
［第４の実施の形態］
第３の実施の形態では、センサによって得られる放射線画像撮影装置１４の状態が変化した場合に識別情報を付与する形態例について説明したが、本実施の形態の放射線画像撮影装置１４では、予め定められた装置に近付いたことを表す信号を受信した場合に識別情報を付与する場合の形態例について説明する。
【０１３８】
放射線画像の撮影を行わない場合、放射線画像撮影装置１４を収納装置に収納し、保管する場合がある。このような収納装置としては、例えば、回診車の保管ケース（図２５、保管ケース１２０参照）や、放射線画像撮影装置１４が蓄電池を備える場合に、蓄電池に電力を充電する充電機能が設けられた収納装置等が挙げられる。
【０１３９】
この場合、放射線画像の撮影を行うためには、放射線画像撮影装置１４は、収納装置から取り出されて、撮影場所に配置される。そのため、本実施の形態の放射線画像撮影装置１４では、放射線画像撮影装置１４が収納装置に近付いたことを表す信号を受信した状態を、同一の被写体Ｗに対応する一連の放射線画像の画像データの区切りを行う状態であるとして、識別情報の付与を行う。
【０１４０】
図１４には、本実施の形態の放射線画像撮影装置１４、携帯情報端末装置１６、コンソール１８、及び収納装置９０の概略構成の一例を示すブロック図が示されている。
【０１４１】
図１４に示すように、本実施の形態の収納装置９０は、信号生成部９２、Ｉ／Ｏ部９４、及びＩ／Ｆ部９６を備えている。信号生成部９２及びＩ／Ｏ部９４は、システムバスやコントロールバス等のバス９９を介して相互に各種情報の授受が可能に接続されている。
【０１４２】
なお、図１４に示すように、本実施の形態の放射線画像撮影装置１４は、第１の実施の形態の放射線画像撮影装置１４（図２参照）に備えられていた操作検出部２３及び操作ボタン２５が備えられていない点のみが第１の実施の形態の放射線画像撮影装置１４と異なっている。
【０１４３】
収納装置９０の信号生成部９２は、放射線画像撮影装置１４が収納装置９０に近付いたことを放射線画像撮影装置１４自身が検知するための信号（以下、「接近信号」という）を生成する機能を有する。この接近信号は特に限定されず、例えば、Bluetooth(登録商標)のビーコン等が挙げられる。
【０１４４】
本実施の形態の放射線画像撮影装置１４は、収納装置９０から送信された接近信号を受信する機能を有する。放射線画像撮影装置１４は、Ｉ／Ｆ部２８が受信部の一例として機能し、収納装置９０が送信した接近信号を受信する。
【０１４５】
図１５には、本実施の形態の放射線画像撮影装置１４の撮影制御部２２によって実行される撮影処理の流れの一例を表したフローチャートが示されている。なお、図１５の図３に示す撮影処理と同様の処理を行うステップには図３と同一のステップ番号を付与して、説明を省略する。
【０１４６】
図１５に示すように、本実施の形態の撮影処理は、上記第１の実施の形態における撮影処理のステップＳ１１０Ａに代えてステップＳ１１０Ｅが適用されている点を除き、第１の実施の形態と同様である。
【０１４７】
すなわち、ステップＳ１１０Ｅで撮影制御部２２は、収納装置９０から接近信号を受信したか否かを判断する。なお、接近信号を受信したか否かの判断は、例えば、受信した信号の信号強度を検出し、信号強度が予め定められた閾値以上になった場合に、接近信号を受信したと判断すればよい。
【０１４８】
撮影制御部２２は、ステップＳ１１０Ｅにおいて否定判定となった場合はステップＳ１００に戻り、肯定判定となった場合はステップＳ１１２に移行する。
【０１４９】
このように、本実施の形態の放射線画像撮影装置１４では、撮影制御部２２が、収納装置９０から接近信号を受信したと判断した場合に、放射線画像の画像データに識別情報を付与して記憶部２４に記憶する。
【０１５０】
本実施の形態におけるコンソール１８により実行される関連付け処理は、上記各実施の形態における関連付け処理（図６参照）と同様であるため説明を省略する。
【０１５１】
このように本実施の形態のコンソール１８によれば、上記各実施の形態のコンソール１８と同様に、被写体情報と放射線画像の画像データとを容易に関連付けて記憶することができる。この結果、被写体Ｗと、対応する放射線画像の画像データとを容易に関連付けることができる。
［第５の実施の形態］
上記第４の実施の形態では、予め定められた装置として収納装置に近付いた場合に、識別情報を付与する形態例について説明したが、本実施の形態の放射線画像撮影装置１４では、電源電力の供給に応じて識別情報を付与する場合の形態例について説明する。
【０１５２】
上記第３の実施の形態で説明したように、収納装置に保管する場合、放射線画像撮影装置１４は、収納装置から電源電力の供給を受け、放射線画像撮影装置１４内の電源部に電力が蓄積（充電）される場合がある。
【０１５３】
そのため、本実施の形態の放射線画像撮影装置１４では、放射線画像撮影装置１４に収納装置から電源が供給された場合を、同一の被写体Ｗに対応する一連の放射線画像の画像データの区切りを行う状態であるとして、識別情報の付与を行う。
【０１５４】
図１６には、本実施の形態の放射線画像撮影装置１４、携帯情報端末装置１６、コンソール１８、及び収納装置９０の概略構成の一例を示すブロック図が示されている。
【０１５５】
図１６に示すように、本実施の形態の放射線画像撮影装置１４は、第３の実施の形態の放射線画像撮影装置１４（図１４参照）と異なり、電源部２１を備えている。また、収納装置９０は、第３の実施の形態の収納装置９０（図１４参照）と異なり、電源供給部９７を備えている。電源供給部９７は、収納装置９０に収納された放射線画像撮影装置１４の電源部２１に対して電源電力を供給する機能を有している。放射線画像撮影装置１４の電源部２１は、供給された電源電力を蓄電する機能を有し、放射線画像撮影装置１４の放射線検出器２０や各部は、電源部２１に蓄電された電源電力により駆動する。
【０１５６】
図１６には、本実施の形態の放射線画像撮影装置１４の撮影制御部２２によって実行される撮影処理の流れの一例を表したフローチャートが示されている。なお、図１６の図３に示す撮影処理と同様の処理を行うステップには図３と同一のステップ番号を付与して、説明を省略する。
【０１５７】
図１６に示すように、本実施の形態の撮影処理は、上記第１の実施の形態における撮影処理のステップＳ１１０Ａに代えてステップＳ１１０Ｆが適用されている点を除き、第１の実施の形態と同様である。
【０１５８】
すなわち、ステップＳ１１０Ｆで撮影制御部２２は、収納装置９０の電源供給部９７から電源部２１に電源電力が供給されたか否かを判断する。なお、電源電力が供給されたか否かの判断は、電源部２１の蓄電量を検出し、蓄電量が増加した場合に、電源電力の供給が開始されたとして、電源電力が供給されたと判断すればよい。なお、電源電力の供給が開始された場合に限らず、電源電力の供給が終了したか否かにより、電源電力が供給されたと判断してもよい。この場合は、電源部２１に蓄電量を検出し、蓄電量の増加が停止した場合に、電源電力の供給が終了したと判断すればよい。
【０１５９】
撮影制御部２２は、ステップＳ１１０Ｆにおいて否定判定となった場合はステップＳ１００に戻り、肯定判定となった場合はステップＳ１１２に移行する。
【０１６０】
このように、本実施の形態の放射線画像撮影装置１４では、撮影制御部２２が、収納装置９０から電源電力が供給されたと判断した場合に、放射線画像の画像データに識別情報を付与して記憶部２４に記憶する。
【０１６１】
本実施の形態におけるコンソール１８により実行される関連付け処理は、上記各実施の形態における関連付け処理（図６参照）と同様であるため説明を省略する。
【０１６２】
このように本実施の形態のコンソール１８によれば、上記各実施の形態のコンソール１８と同様に、被写体情報と放射線画像の画像データとを容易に関連付けて記憶することができる。この結果、被写体Ｗと、対応する放射線画像の画像データとを容易に関連付けることができる。
［第６の実施の形態］
第４の実施の形態では、放射線画像撮影装置１４が予め定められた装置に近付いたことを表す信号を受信した場合に識別情報を付与する場合の形態例について説明したが、本実施の形態の放射線画像撮影装置１４では、予め定められた設備から離れたことを表す信号を受信した場合に識別情報を付与する場合の形態例について説明する。
【０１６３】
特定の被写体Ｗに対する放射線画像の撮影が終了すると放射線画像撮影装置１４を移動させる場合がある。例えば、特定の場所で特定の被写体Ｗに対する放射線画像の撮影後に次の被写体Ｗが待機する場所へ放射線画像撮影装置１４を移動させる場合がある。具体例としては、病室のベッド上で特定の被写体Ｗに対する放射線画像の撮影後に、同室または別室のベッド上で次の被写体Ｗに対する放射線画像の撮影行うことが挙げられる。
【０１６４】
そのため、本実施の形態の放射線画像撮影装置１４では、放射線画像撮影装置１４が被写体Ｗのベッドから離れたことを表す信号を受信した状態を、同一の被写体Ｗに対応する一連の放射線画像の画像データの区切りを行う状態であるとして、識別情報の付与を行う。
【０１６５】
なお、本実施の形態では、具体例として放射線照射装置１２が回診車である場合について説明する。この場合、撮影する被写体Ｗのベッドに応じた位置に、放射線照射装置１２も放射線画像撮影装置１４と共に移動させる。
【０１６６】
そのため、本実施の形態では、回診車である放射線照射装置１２が被写体Ｗのベッドを特定する情報を読み取って放射線画像撮影装置１４に送信する。放射線画像撮影装置１４は、被写体Ｗのベッドを特定する情報を予め定められた設備から離れたことを表す信号として受信する。
【０１６７】
図１８には、本実施の形態の放射線照射装置１２、放射線画像撮影装置１４、携帯情報端末装置１６、及びコンソール１８の概略構成の一例を示すブロック図が示されている。
【０１６８】
図１８に示すように、本実施の形態の放射線画像撮影装置１４は、第１の実施の形態の放射線画像撮影装置１４（図２参照）に備えられていた操作検出部２３及び操作ボタン２５が備えられていない点のみが第１の実施の形態の放射線画像撮影装置１４と異なっている。
【０１６９】
一方、図１８に示すように、本実施の形態の放射線照射装置１２は、放射線源１３、照射制御部８０、読取部８２、Ｉ／Ｏ部８４、Ｉ／Ｆ部８６、及びセンサ８８を備えている。放射線源１３、照射制御部８０、読取部８２、Ｉ／Ｏ部８４、及びセンサ８８は、システムバスやコントロールバス等のバス８９を介して相互に各種情報の授受が可能に接続されている。
【０１７０】
照射制御部８０は、ＣＰＵ、ＲＯＭ、及びＲＡＭを備えている。ＣＰＵは、放射線照射装置１２の全体の動作を制御する機能を有している。ＲＯＭには、ＣＰＵで実行される各種の処理プログラム等が予め記憶されている。ＲＡＭは、各種データを一時的に記憶する機能を有している。
【０１７１】
センサ８８は、放射線照射装置１２が移動したことを検知するセンサであり、特に限定されないが、具体例としては、速度センサ及び加速度センサ等が挙げられる。また、本実施の形態では、放射線照射装置１２を回診車としているため、放射線照射装置１２は移動手段として車輪（図２５、車輪１２２参照）を備えている。そのため、移動手段である車輪が回転したことを検出するセンサ等であってもよい。
【０１７２】
病院の病室や診療室には設備としてベッド１００が複数備えられている。そのため、各ベッド１００を特定するための特定情報であるＩＤがＩＣタグ１０２に記憶されている。なお、本実施の形態では、ベッド１００のＩＤと、ベッド１００を使用する被写体Ｗ（患者）とが予め対応付けられている。
【０１７３】
読取部８２は、センサ８８が、放射線照射装置１２が移動したことを検知した場合に、ベッド１００に設けられたＩＣ（Integrated Circuits）タグ１０２に記憶されているＩＤを読み取る。本実施の形態では、具体例として病室や診療室に備えられたベッド１００には、個々のベッド１００を識別するためのＩＤが記憶されたＩＣタグ１０２が付与されている。なお、このようなＩＣタグ１０２としては、病院等において、設備や備品の管理のためにこれらに対して付与しているＩＣタグを用いてもよい。また、逆に、本実施の形態で用いるＩＣタグ１０２を設備の管理等に利用してもよい。
【０１７４】
読取部８２が読み取ったＩＤは、Ｉ／Ｆ部８６から放射線画像撮影装置１４へ送信される。なお、実際には、ＩＤを表す信号が放射線照射装置１２から放射線画像撮影装置１４へ送信されるが、説明の簡略化のため本実施の形態ではＩＤを表す信号を単に「ＩＤ」と称している。放射線画像撮影装置１４は、Ｉ／Ｆ部２８が受信部の一例として機能し、照射制御部８０から送信されたＩＤを受信する。
【０１７５】
図１９には、本実施の形態の放射線画像撮影装置１４の撮影制御部２２によって実行される撮影処理の流れの一例を表したフローチャートが示されている。なお、図１９の図３に示す撮影処理と同様の処理を行うステップには図３と同一のステップ番号を付与して、説明を省略する。
【０１７６】
図１９に示すように、本実施の形態の撮影処理は、上記第１の実施の形態における撮影処理のステップＳ１１０Ａに代えてステップＳ１１０Ｇが適用されている点を除き、第１の実施の形態と同様である。
【０１７７】
すなわち、ステップＳ１１０Ｇで撮影制御部２２は、放射線照射装置１２からＩＤを受信したか否かを判断する。撮影制御部２２は、ステップＳ１１０Ｇにおいて否定判定となった場合はステップＳ１００に戻り、肯定判定となった場合はステップＳ１１２に移行する。
【０１７８】
なお、本実施の形態の識別情報付与処理（図４参照）では、ステップＳ１５０におけるダミーデータの生成において、受信したＩＤをダミーデータに含ませておくことが好ましい。このようにダミーデータにベッド１００を特定するためのＩＤが含まれていることにより、コンソール１８は、ＩＤに基づいて被写体情報と放射線画像の画像データとを関連付けることができるため、関連付けが容易に行える。
【０１７９】
一方、放射線照射装置１２では、図２０に示すようにＩＤ読み取り処理が実行される。
【０１８０】
ステップＳ３００で照射制御部８０は、放射線照射装置１２自身が移動を開始したか否かを判断する。センサ８８の検知結果に基づいて移動を開始していないと判断した場合は、否定判定となる。
【０１８１】
一方、移動を開始したと判断した場合は、肯定判定となりステップＳ３０２へ移行する。ステップＳ３０２で照射制御部８０は、読取部８２によってＩＣタグ１０２からＩＤを読み取る。
【０１８２】
次のステップＳ３０４で照射制御部８０は、読み取ったＩＤをＩ／Ｆ部８６を介して放射線画像撮影装置１４に送信する。
【０１８３】
次のステップＳ３０６で本ＩＤ読取処理を終了するか否かを判断する。例えば、放射線照射装置１２に電源が投入された状態のままの場合は否定判定となって、ステップＳ３００に戻り、本ＩＤ読取関処理を繰り返す。一方、電源の投入が終了した場合は肯定判定となって、本ＩＤ読取処理を終了する。
【０１８４】
このように、本実施の形態の放射線画像撮影装置１４では、ベッド１００上の被写体Ｗの撮影を終了してベッド１００から移動する場合に放射線照射装置１２はベッド１００のＩＣタグ１０２からＩＤを読み取り、放射線照射装置１２に送信する。そして、放射線照射装置１２の撮影制御部２２が、ＩＤを受信したと判断した場合に、放射線画像の画像データに識別情報を付与して記憶部２４に記憶する。
【０１８５】
本実施の形態におけるコンソール１８により実行される関連付け処理は、上記各実施の形態における関連付け処理（図６参照）と同様であるため説明を省略する。
【０１８６】
このように本実施の形態のコンソール１８によれば、上記各実施の形態のコンソール１８と同様に、被写体情報と放射線画像の画像データとを容易に関連付けて記憶することができる。この結果、被写体Ｗと、対応する放射線画像の画像データとを容易に関連付けることができる。
【０１８７】
なお、本実施の形態では、放射線照射装置１２がベッド１００から離れた場合に、ＩＣタグ１０２からＩＤを読み取っていたが、ＩＤを読み取る装置はこれに限らない。例えば、放射線画像撮影装置１４自身が読取部８２や上述したセンサ２７をさらに備え、センサ２７が移動を検知した場合に、読取部８２によりＩＣタグ１０２からＩＤを読み取ってもよい。
【０１８８】
また例えば、携帯情報端末装置１６が図２１に示すように読取部８２及びセンサ８８をさらに備え、センサ８８が移動を検知した場合に、読取部８２によりＩＣタグ１０２からＩＤを読み取ってもよい。
【０１８９】
また、本実施の形態では、ベッド１００から離れた場合に、ＩＣタグ１０２からＩＤを読み取っていたが、ＩＤを読み取るタイミングはこれに限らない。ベッド１００に近付いた場合に、ＩＣタグ１０２からＩＤを読み取ってもよい。この場合は、例えば、読取部８２が所定の間隔でＩＣタグ１０２からＩＤを読み取る。移動してベッド１００に近付くと、読み取ったＩＤが変化するため、読み取ったＩＤが変化した場合に、ＩＣタグ１０２からＩＤを読み取ればよい。また、放射線照射装置１２が被写体Ｗの放射線画像を撮影している間にＩＣタグ１０２からＩＤを読み取っておき、その後、センサ８８が移動の開始を検知した場合に、読み取っておいたＩＤを放射線照射装置１２に送信してもよい。
［第７の実施の形態］
本実施の形態では、放射線画像撮影装置１４は画像データに識別情報を付与したことを報知する場合について説明する。本実施の形態では、具体例として、上記第６の実施の形態における放射線画像撮影システム１０において、画像データに識別情報を付与したことを報知する場合について説明する。
【０１９０】
なお、本実施の形態では、具体例として第６の実施の形態と同様に放射線照射装置１２が回診車であり、放射線照射装置１２が被写体Ｗのベッドを特定する情報を読み取って放射線画像撮影装置１４に送信する場合について説明する。
【０１９１】
図２２には、本実施の形態の放射線照射装置１２、放射線画像撮影装置１４、携帯情報端末装置１６、及びコンソール１８の概略構成の一例を示すブロック図が示されている。
【０１９２】
図２２に示すように、本実施の形態の放射線画像撮影装置１４は、報知部１１０を備えている点のみが第６の実施の形態の放射線画像撮影装置１４（図１８参照）と異なっている。
【０１９３】
また、本実施の形態の、放射線画像撮影装置１４は、図２３に示した筐体１５内に、放射線検出器２０、撮影制御部２２、記憶部２４、Ｉ／Ｏ部２６、及びＩ／Ｆ部２８が備えられている。図２３に示すように、本実施の形態の筐体１５は、放射線Ｒが照射される面を表側の面、表側の面に対向する面を裏側の面とした矩形状の筐体である。また、筐体１５の側面は、裏側から表側にむけて傾斜する傾斜部１１１を有している。図２３に示した一例では、報知部１１０は、ＬＥＤ（Light Emitting Diode）ライトであり、筐体１５の各側面の傾斜部１１１、または傾斜部１１１近傍に設けられている。
【０１９４】
報知部１１０は、撮影制御部２２が識別情報を付与したことを報知する。具体的には、本実施の形態の報知部１１０は、識別情報付与処理（図４参照）を実行したことを報知する。
【０１９５】
図２４には、この場合の放射線画像撮影装置１４の撮影制御部２２によって実行される撮影処理の流れの一例を表したフローチャートが示されている。なお、図２４の図３に示す撮影処理と同様の処理を行うステップには図３と同一のステップ番号を付与して、説明を省略する。
【０１９６】
図２４に示すように、撮影処理は、上記第１の実施の形態における撮影処理のステップＳ１１２の後に、ステップＳ１１３Ａ、Ｓ１１３Ｂ、及びＳ１１３Ｃの処理を実行する点を除き、第１の実施の形態と同様である。
【０１９７】
すなわち、ステップＳ１１３Ａで撮影制御部２２は、識別情報を付与したことを報知部１１０により報知する。上述したように本実施の形態では、報知部１１０がＬＥＤライトのため、消灯していたＬＥＤライトを点灯させたり、予め定められた色でＬＥＤライトを点灯させたり、ＬＥＤライトを点滅させたり等、予め定められた方法に応じてＬＥＤライトライトの点灯状態を制御することにより報知を行う。
【０１９８】
本実施の形態では、識別情報の付与を行う場合、すなわち撮影制御部２２が識別情報付与処理を行う場合、放射線照射装置１２がベッド１００から離れる場合、または近付いた場合であるため、放射線画像撮影装置１４は、放射線照射装置１２の保管ケースに収納された状態である場合が多い。例えば、図２５に示した一例のように、放射線画像撮影装置１４は、回診車本体１２１の側面に設けられた保管ケース１２０に収納される。この場合、一般的に、放射線画像撮影装置１４は、放射線Ｒが照射される表側を回診車本体１２１側に向けた状態で保管ケース１２０内に収納される。図２５に示した一例では、保管ケース１２０の上部から放射線画像撮影装置１４の一部が出ているため、保管ケース１２０内に放射線画像撮影装置１４が収納された状態であっても報知部１１０による報知（点灯等）をユーザが視認することができる。
【０１９９】
なお、図２５に示した一例に限らず、保管ケース１２０の回診車本体１２１側の面と対向する面を透明等にして、内部に収納された放射線画像撮影装置１４の報知部１１０による報知をユーザから視認可能にしてもよい。
【０２００】
なお、図２５に示した一例では、保管ケース１２０に１つの放射線画像撮影装置１４が収納された状態を示しているが、保管ケース１２０は、複数の放射線画像撮影装置１４を収納するものであってもよい。保管ケース１２０が複数の放射線画像撮影装置１４を、放射線画像撮影装置１４同士の裏側及び表側を重ねた状態で収納する場合であっても、本実施の形態では図２３に示したように報知部１１０が側面の傾斜部１１１またはその近傍に設けられているため、報知部１１０による報知をユーザが視認することができる。なお、複数の放射線画像撮影装置１４を保管ケース１２０に収納する場合は、大きい（放射線が照射される面積が大きい）放射線画像撮影装置１４ほど、回診車本体１２１側に収納することにより、報知部１１０による報知が視認しやすくなる。
【０２０１】
本実施の形態の放射線画像撮影システム１０では、報知部１１０による報知を視認したユーザは、識別情報を付与したタイミングが適切であるか否か判断することができる。例えば、放射線照射装置１２がベッド１００から近付いたが被写体Ｗを間違えた場合や、ベッド１００に対する位置を変更するために放射線照射装置１２を移動させた場合等でも撮影制御部２２は識別情報を付与する場合があるが、この場合、本来、識別情報を付与するタイミングではないため、ユーザは識別情報を付与するタイミングが適切ではないと判断する。
【０２０２】
識別情報を付与するタイミングが適切ではないと判断した場合、ユーザは、携帯情報端末装置１６の操作部４０により所定の操作を行う。所定の操作が行われると、端末制御部３０は、識別情報を付与したタイミングが適切ではないことを表す情報を放射線画像撮影装置１４に送信する。
【０２０３】
そこで、次のステップＳ１１３Ｂで撮影制御部２２は、識別情報を付与したタイミングが適切であるか否かを判断する。放射線画像撮影装置１４から識別情報を付与したタイミングが適切ではないことを表す情報を受信した場合は、否定判定となり、ステップＳ１１３Ｃへ移行する。
【０２０４】
ステップＳ１１３Ｃで撮影制御部２２は、ステップＳ１１２の識別情報付与処理により付与した識別情報を廃棄した後、ステップＳ１１４へ移行する。
【０２０５】
一方、上記ステップＳ１１３Ｂで識別情報を付与したタイミングが適切ではないことを表す情報を所定の時間経過しても受信しなかった場合は、肯定判定となり、ステップＳ１１４へ移行する。
【０２０６】
本実施の形態におけるコンソール１８により実行される関連付け処理は、上記各実施の形態における関連付け処理（図６参照）と同様であるため説明を省略する。
【０２０７】
このように本実施の形態の放射線画像撮影装置１４によれば、識別情報を付与したことを報知部１１０により報知するため、ユーザは、識別情報を付与したタイミングを認識することができる。
【０２０８】
また、放射線画像撮影装置１４は、識別情報を付与したタイミングが適切ではない場合、その旨を表す情報に基づいて、誤ったタイミングで付与した識別情報を廃棄するため、適切に識別情報を付与することができる。
【０２０９】
なお、本実施の形態では、具体例として、報知部１１０がＬＥＤライトである場合について説明したが報知部１１０はこれに限定されるものではない。例えば、その他の可視表示を行うものであってもよいし、スピーカ等の音声再生装置を用いた可聴表示を行うものであってもよいし、可視表示と可聴表示とを組み合わせたものであってもよい。
【０２１０】
なお、本実施の形態では、識別情報を付与したタイミングが適切ではない場合、付与した識別情報を廃棄していたが、識別情報を廃棄せずに、付与した識別情報が適切なタイミングではないことを表す情報を識別情報に対応付けて記憶部２４等に記憶してもよい。
【０２１１】
また、本実施の形態では、識別情報を付与するタイミングが適切ではないと判断した場合、携帯情報端末装置１６の操作部４０に対してユーザが操作を行う形態について説明したが、この場合にユーザが操作を行う装置は携帯情報端末装置１６に限らない。例えば、上記第１実施の形態の放射線画像撮影装置１４のように、放射線画像撮影装置１４が操作検出部２３及び操作ボタン２５を備え、ユーザが操作ボタン２５に対して操作を行う形態としてもよい。
【０２１２】
以上説明したように、上記各実施の形態の放射線画像撮影装置１４は、照射された放射線Ｒに応じて放射線画像を撮影する撮影部として機能する放射線検出器２０と、放射線検出器２０によって撮影された複数の放射線画像の画像データを記憶する記憶部として機能する記憶部２４と、予め定められた条件を検出した場合に、記憶部２４に記憶される画像データを予め定められた条件の検出前後で区切るための識別情報を記憶部２４に記憶する識別情報付与部として機能する撮影制御部２２と、を備える。
【０２１３】
また、コンソール１８は、放射線画像撮影装置１４の記憶部２４に記憶されている画像データ及び識別情報を記憶部２４から読み出す読出部、及び識別情報に基づいて、画像データと、画像データに対応する被写体Ｗに関する被写体情報と、を関連付けて画像記憶部として機能する記憶部５２に記憶する制御を行う制御部として機能する制御部５０を備える。
【０２１４】
従って、上記各実施の形態の放射線画像撮影装置１４によれば、連続的な撮影によって得られた複数の画像データが予め定められた条件が検出される度に、識別情報により区切られる。識別情報により区切られた後は、再び放射線画像の撮影が繰り返される場合と、撮影が終了する場合とがある。このため、上記予め定められた条件を被写体Ｗが変化したことを示すものとして予め定めることにより、コンソール１８では、識別情報を特定して利用することで、被写体情報と画像データとの関連付けを容易に行うことができる。
【０２１５】
従って、上記各放射線画像撮影装置１４によれば、被写体情報、すなわち被写体Ｗと、被写体Ｗの撮影によって得られた放射線画像の画像データと、を容易に関連付けることができる。
【０２１６】
一般的に、オーダ情報を用いて被写体Ｗを撮影する場合の放射線画像の撮影枚数は予め定められているが、撮影の失敗等により再撮影を行う場合等、予め定められていた撮影枚数と実際の撮影枚数とが異なる場合がある。また、携帯情報端末装置１６が予めコンソール１８等から取得したオーダ情報とは別途に、撮影の要求（追加オーダ情報等）が発生する場合がある。また、放射線検出器２０が誤作動した場合や、ユーザの誤操作等により、予め定められていた撮影枚数と実際の撮影枚数とが異なってしまう場合もある。これらの場合には、撮影した放射線画像の画像データと、被写体情報と、の関連付けが必ずしも容易ではなく、場合によっては不可能となることもある。
【０２１７】
これに対して、上記各実施の形態の放射線画像撮影装置１４では、撮影制御部２２が、上記予め定められた条件を検出した場合に、記憶部２４に記憶される画像データを上記予め定められた条件の検出前後で区切るための識別情報を記憶部２４に記憶しているため、識別情報を用いてコンソール１８により画像データと被写体情報とを関連付けることができる。そのため、予め定められていた撮影枚数と実際の撮影枚数とが異なる場合でも、コンソール１８で、被写体情報と、対応する放射線画像の画像データとを容易に関連付けることができる。また、オーダ情報の有無とは無関係に、コンソール１８で、被写体情報と、対応する放射線画像の画像データとを容易に関連付けることができる。
【０２１８】
また、上記各放射線画像撮影装置１４によれば、放射線画像撮影装置１４が被写体情報を取得していなくても、コンソール１８で、被写体情報と、対応する放射線画像の画像データと、を容易に関連付けることができる。
【０２１９】
また、上記各放射線画像撮影装置１４によれば、放射線画像撮影装置１４内において画像データと識別情報との関連付けが行われるため、携帯情報端末装置１６やコンソール１８等の外部装置を要さずに画像データと識別情報とを関連付けることができる。また、撮影制御部２２の制御により関連付けを行うため、従来の放射線画像撮影装置に何ら手を加えることなく、実現することができる。
【０２２０】
なお、放射線画像の画像データに識別情報を付与する形態は、上記各実施の形態に限定されない。例えば、ＲＦＩＤ（Radio Frequency IDentification）を用いて、撮影台から所定距離以上離れたことを放射線画像撮影装置１４がセンサ２７により検知した場合に、記憶部２４に記憶された画像データに識別情報を付与する形態としてもよい。また例えば、撮影室のドアにドアが開閉したことを検知する開閉センサを設け、ドアの開閉を開閉センサが検知したことを放射線画像撮影装置１４が検知した場合に、記憶部２４に記憶された画像データに識別情報を付与する形態としてもよい。
【０２２１】
また例えば、上記第６実施の形態のように回診車である放射線照射装置１２とベッド１００との距離が所定の距離以上離れた場合に、放射線画像撮影装置１４に信号を送信し、この信号を放射線画像撮影装置１４が受信した場合に、記憶部２４に記憶された画像データに識別情報を付与する形態としてもよい。
【０２２２】
さらに例えば、撮影台の下の床面に重量計を設置し、重量計の計測値が低下したことを検出した場合に、被写体Ｗが撮影台の上から移動したと放射線画像撮影装置１４が判断して、記憶部２４に記憶された画像データに識別情報を付与する形態としてもよい。
【０２２３】
また、上記各実施の形態では、コンソール１８を用いて、ユーザによって画像データと、被写体情報と、を関連付ける場合について説明したがこれに限らず、コンソール１８が自動的に画像データと、被写体情報と、を関連付けてもよい。以下、この形態の一例として、コンソール１８の記憶部５２に被写体情報が含まれるオーダ情報が予め記憶されている場合に、記憶されているオーダ情報に基づいて、画像データと、被写体情報と、をコンソール１８が自動的に関連付ける場合について説明する。
【０２２４】
図２６には、この場合のコンソール１８で実行される関連付け処理の流れの一例を表したフローチャートが示されている。
【０２２５】
図２６のステップＳ２５０で制御部５０は、上記関連付け処理（図６参照）のステップＳ２００と同様に、放射線画像撮影装置１４から放射線画像の画像データをＩ／Ｆ部６４を介して取得する。
【０２２６】
次のステップＳ２５２で制御部５０は、取得した画像データに対応するオーダ情報を、記憶部５２から読み出す。記憶部５２に記憶されているオーダ情報から取得した画像データに対応するオーダ情報を特定する方法は特に限定されない。例えば、オーダ情報に、放射線画像を撮影した放射線画像撮影装置１４を特定する情報（例えば、ＩＤ）及び撮影の順番が含まれている場合は、上記ステップＳ２５０における画像データの取得において、画像データとともに放射線画像撮影装置１４のＩＤを取得し、取得したＩＤ及び撮影の順番に基づいてオーダ情報を特定すればよい。
【０２２７】
次のステップＳ２５４で制御部５０は、取得した放射線画像の画像データから識別情報を検出する。例えば、第１の実施の形態の場合では、制御部５０は、記憶部５２に記憶されている順に、ダミーデータを１つずつ検出する。
【０２２８】
次のステップＳ２５６で制御部５０は、取得した放射線画像の画像データに、対応するオーダ情報に含まれる被写体情報を関連付けて記憶部５２に記憶する。
【０２２９】
次のステップＳ２５８で制御部５０は、本関連付け処理を終了するか否かを判断する。本ステップＳ２５８では、ステップＳ２５０で取得した放射線画像の画像データに、被写体情報が関連付けられていないものがある場合は否定判定となって、ステップＳ２５４に戻り、本関連付け処理を繰り返す。一方、取得した全ての放射線画像の画像データと、被写体情報と、を関連付けた場合は肯定判定となって、本関連付け処理を終了する。
【０２３０】
このようにコンソール１８で関連付け処理を行うことにより、ユーザの手を煩わせることなく、自動的に被写体情報と、対応する画像データとを関連付けることができる。
【０２３１】
なお、上記各実施の形態を適宜組み合わせてもよいことはいうまでもない。組合せの例としては、第１の実施の形態と第３の実施の形態を組み合わせること等が挙げられる。図２７には、この場合の放射線画像撮影装置１４、携帯情報端末装置１６、コンソール１８の概略構成の一例を示すブロック図が示されている。図２７に示すように、放射線画像撮影装置１４が操作検出部２３、操作ボタン２５、及びセンサ２７を備え、撮影制御部２２が、操作ボタン２５が操作されたことを検出した場合や、自装置の状態が予め定められた状態になったことをセンサ２７により検知した場合に、識別情報を付与すればよい。
【０２３２】
また、上記第２〜第６の実施の形態では、放射線画像の撮影後に画像データに識別情報を付与していたが、識別情報を付与するタイミングは撮影後でなくてもよい。例えば、記憶部２４に記憶されており、識別情報が付与されていない画像データに対して、撮影前に識別情報を付与するようにしてもよい。
【０２３３】
また、放射線画像撮影装置１４は、放射線画像の撮影の前及び後とみなせるタイミングを検出して、その間に撮影された（記憶部２４に記憶された）画像データに対して、識別情報を付与するようにしてもよい。例えば、第１の実施の形態の放射線画像撮影装置１４の場合、撮影の前及び後に操作ボタン２５が操作されたことを検出し、その間に記憶部２４に記憶された画像データに識別情報を付与する形態としてもよい。
【０２３４】
また、放射線画像撮影装置１４は、識別情報とともに、他の情報を画像データに関連付けて記憶部２４に記憶してもよい。その場合の情報としては、例えば、撮影日時、識別情報を付与した時間、及び経過時間等の少なくとも一つを示す情報が挙げられる。また、第３の実施の形態の場合の放射線画像撮影装置１４では、その他の情報として、センサ２７が検知した検知結果に基づいた情報（例えば、実施例３−２では、放射線画像撮影装置１４の姿勢）が挙げられる。
【０２３５】
また、上記各実施の形態では、コンソール１８が、画像データと、被写体情報と、を関連付ける場合について説明したが、関連付けを行うのは、コンソール１８でなくてもよい。例えば、携帯情報端末装置１６を、制御装置として機能させ、画像データと、被写体情報と、を関連付けてもよい。
【０２３６】
また、上記各実施の形態では、コンソール１８が、画像データと、被写体情報と、を関連付けて記憶部５２に記憶する場合について説明したが、これらの情報を記憶する場所は、記憶部５２に限らない。例えば、外部の記憶装置（ＰＡＣＳ：Picture Archiving and Communication System）等に記憶してもよい。
【０２３７】
また、放射線画像撮影装置１４は、液晶ディスプレイ等の表示部を備えていてもよい。この場合、放射線画像の撮影が完了する度に、撮影が完了したことを表す情報を表示部に表示させることが好ましい。
【０２３８】
また、被写体Ｗは、人でなくてもよく、人以外の動物や植物等の生物や、他の物体であってもよい。
【０２３９】
また、放射線画像の撮影に用いられる放射線Ｒは特に限定されるものではなく、Ｘ線やγ線等を適用することができる。
【０２４０】
その他、本実施の形態で説明した放射線画像撮影装置１４及びコンソール１８等の構成及び動作は一例であり、本発明の主旨を逸脱しない範囲内において状況に応じて変更可能であることはいうまでもない。
【符号の説明】
【０２４１】
１０  放射線画像撮影システム
１４  放射線画像撮影装置
１６  携帯情報端末装置
１８  コンソール
２０  放射線検出器
２２  撮影制御部
２４  記憶部
２５  操作ボタン
２７  センサ
２８  Ｉ／Ｆ部
５０  制御部
５２  記憶部
【図１】
0006444842.tif 000002
【図２】
0006444842.tif 000003
【図３】
0006444842.tif 000004
【図４】
0006444842.tif 000005
【図５】
0006444842.tif 000006
【図６】
0006444842.tif 000007
【図７】
0006444842.tif 000008
【図８】
0006444842.tif 000009
【図９】
0006444842.tif 000010
【図１０】
0006444842.tif 000011
【図１１】
0006444842.tif 000012
【図１２】
0006444842.tif 000013
【図１３】
0006444842.tif 000014
【図１４】
0006444842.tif 000015
【図１５】
0006444842.tif 000016
【図１６】
0006444842.tif 000017
【図１７】
0006444842.tif 000018
【図１８】
0006444842.tif 000019
【図１９】
0006444842.tif 000020
【図２０】
0006444842.tif 000021
【図２１】
0006444842.tif 000022
【図２２】
0006444842.tif 000023
【図２３】
0006444842.tif 000024
【図２４】
0006444842.tif 000025
【図２５】
0006444842.tif 000026
【図２６】
0006444842.tif 000027
【図２７】
0006444842.tif 000028